(57)【要約】      （修正有）【課題】小型でＳ／Ｎ比のよい振動ジャイロを提供する。【解決手段】振動ジャイロは、リング状振動体１１と、リング状振動体１１を柔軟に支持するレッグ部１５と、上層金属膜及び下層金属膜により圧電体膜を厚み方向に挟む複数の電極１３ａ〜１３ｄ及び固定電位電極１６とを備えている。複数の電極１３ａ〜１３ｄは、ｃｏｓＮθの振動モードでリング状振動体１１の一次振動を励起する、駆動電極１３ａと、駆動電極１３ａから（９０／Ｎ）°離れた角度に配置され、かつリング状振動体１１に角速度が与えられたときに発生する二次振動を検出する検出電極１３ｂと、駆動電極１３ａから（９０／Ｎ）°離れた角度あるいは検出電極１３ｂから（１８０／Ｎ）°離れた角度に配置され、検出電極１３ｂからの電圧信号に基づいてその二次振動を抑制する抑制電極１３ｄとを含み、電極１３ａ、１３ｂ、１３ｄは、リング状振動体１１の外周及び／又は内周に配置されている。【選択図】図１
2010210605.tif 000002
【特許請求の範囲】
【請求項１】
一様な平面を備えたリング状振動体と、
前記リング状振動体を柔軟に支持するレッグ部と、
前記リング状振動体の前記平面上又はその上方に置かれ、圧電体膜を厚み方向に挟む上層金属膜及び下層金属膜の少なくともいずれかにより形成される複数の電極とを備え、
前記複数の電極は、Ｎを２以上の自然数とした場合に、ｃｏｓＮθの振動モードで前記リング状振動体の一次振動を励起する、互いに円周方向に（３６０／Ｎ）°離れた角度に配置された一群の駆動電極と、前記駆動電極のいずれかから時計回り及び／又は反時計回りに（９０／Ｎ）°離れた角度に配置され、かつ前記リング状振動体に角速度が与えられたときに発生する二次振動を検出する検出電極と、前記駆動電極のいずれかから時計回り又は反時計回りに（９０／Ｎ）°離れた角度あるいは前記検出電極から（１８０／Ｎ）°離れた角度に配置され、かつ前記検出電極からの電圧信号に基づいて前記二次振動を抑制する抑制電極とを含み、
前記各々の駆動電極、前記検出電極、及び前記抑制電極は、前記リング状振動体の外周縁から前記外周縁の近傍に至るまでの領域及び／又は内周縁から前記内周縁の近傍に至るまでの領域に配置されている
振動ジャイロ。
【請求項２】
一様な平面を備えたリング状振動体と、
前記リング状振動体を柔軟に支持するレッグ部と、
前記リング状振動体の前記平面上又はその上方に置かれ、圧電体膜を厚み方向に挟む上層金属膜及び下層金属膜の少なくともいずれかにより形成される複数の電極とを備え、
前記複数の電極は、Ｎを２以上の自然数とした場合に、ｃｏｓＮθの振動モードで前記リング状振動体の一次振動を励起する、互いに円周方向に（３６０／Ｎ）°離れた角度に配置された一群の駆動電極と、前記各々の駆動電極から｛（１８０／Ｎ）−（４５／Ｎ）｝°超｛（１８０／Ｎ）＋（４５／Ｎ）｝°未満に離れた角度の領域内に配置された一群のモニター電極と、前記駆動電極のいずれかから時計回り及び／又は反時計回りに（９０／Ｎ）°離れた角度に配置され、かつ前記リング状振動体に角速度が与えられたときに発生する二次振動を検出する検出電極と、前記駆動電極のいずれかから時計回り又は反時計回りに（９０／Ｎ）°離れた角度あるいは前記検出電極から（１８０／Ｎ）°離れた角度に配置され、かつ前記検出電極からの電圧信号に基づいて前記二次振動を抑制する抑制電極とを含み、
前記各々の駆動電極、前記検出電極、及び前記抑制電極は、前記リング状振動体の外周縁から前記外周縁の近傍に至るまでの領域及び／又は内周縁から前記内周縁の近傍に至るまでの領域に配置されている
振動ジャイロ。
【請求項３】
一様な平面を備えたリング状振動体と、
前記リング状振動体を柔軟に支持するレッグ部と、
前記リング状振動体の前記平面上又はその上方に置かれ、圧電体膜を厚み方向に挟む上層金属膜及び下層金属膜の少なくともいずれかにより形成される複数の電極とを備え、
前記複数の電極は、Ｎを２以上の自然数とした場合に、
ｃｏｓＮθの振動モードで前記リング状振動体の一次振動を励起する、互いに円周方向に（３６０／Ｎ）°離れた角度に配置された一群の駆動電極と、
前記各々の駆動電極によって生じる一次振動の振動軸に対して（９０／Ｎ）°傾いた、前記リング状振動体に角速度が与えられたときに発生する二次振動の振動軸に沿ういずれかの角度に配置された、前記二次振動を検出する検出電極及び前記検出電極からの電圧信号に基づいて前記二次振動を抑制する抑制電極とを含み、
前記各々の駆動電極、前記検出電極、及び前記抑制電極は、前記リング状振動体の外周縁から前記外周縁の近傍に至るまでの領域及び／又は内周縁から前記内周縁の近傍に至るまでの領域に配置されている
振動ジャイロ。
【請求項４】
前記検出電極を第１検出電極としたときに、
前記複数の電極が、前記駆動電極の各々から時計回り又は反時計回りに（９０／Ｎ）°離れた角度あるいは前記第１検出電極から（１８０／Ｎ）°離れた角度に配置され、前記二次振動を検出する第２検出電極をさらに含んでおり、
演算回路によって前記第１検出電極及び前記第２検出電極から出力される信号の差分を算出する
請求項１又は請求項２に記載の振動ジャイロ。
【請求項５】
前記複数の電極が、互いに（３６０／Ｎ）°離れた角度に配置される複数の抑制電極を含む
請求項１又は請求項２に記載の振動ジャイロ。
【請求項６】
前記複数の電極が、互いに（３６０／Ｎ）°離れた角度に配置される複数の検出電極を含む
請求項１又は請求項２に記載の振動ジャイロ。
【請求項７】
前記リング状振動体がシリコン基板から形成され、
正面視で実質的に前記上層金属膜、前記圧電体膜、及び前記下層金属膜のみが観察される
請求項１乃至請求項３に記載の振動ジャイロ。
【請求項８】
前記リング状振動体がシリコン基板から形成され、
正面視で実質的に前記上層金属膜及び前記下層金属膜のみが観察される
請求項１乃至請求項３に記載の振動ジャイロ。
【請求項９】
シリコン基板上に、一様に絶縁膜を形成する工程と、
前記絶縁膜上に、一様に下層金属膜を形成する工程と、
前記下層金属膜上に、一様に圧電体膜を形成する工程と、
前記圧電体膜上に、一様に上層金属膜を形成する工程と、
前記上層金属膜上にレジスト膜をパターニングする工程と、
前記上層金属膜をドライエッチングして前記圧電体膜を露出させる工程と、
前記上層金属膜及び前記圧電体膜上に第２レジスト膜をパターニングする工程と有し、
前記第２レジスト膜、前記上層金属膜、又は前記圧電体膜をエッチングマスクとして、前記下層金属膜、前記絶縁膜、及び前記シリコン基板をドライエッチングすることにより、リング状振動体及び前記リング状振動体を柔軟に支持するとともに固定端を有するレッグ部、並びに、Ｎを２以上の自然数とした場合に、ｃｏｓＮθの振動モードで前記リング状振動体の一次振動を励起する、互いに円周方向に（３６０／Ｎ）°離れた角度に配置された一群の駆動電極と、前記駆動電極のいずれかから時計回り及び／又は反時計回りに（９０／Ｎ）°離れた角度に配置され、かつ前記リング状振動体に角速度が与えられたときに発生する二次振動を検出する検出電極と、前記駆動電極のいずれかから時計回り又は反時計回りに（９０／Ｎ）°離れた角度あるいは前記検出電極から（１８０／Ｎ）°離れた角度に配置され、かつ前記検出電極からの電圧信号に基づいて前記二次振動を抑制する抑制電極とが形成される
振動ジャイロの製造方法。
【請求項１０】
シリコン基板上に、一様に絶縁膜を形成する工程と、
前記絶縁膜上に、一様に下層金属膜を形成する工程と、
前記下層金属膜上に、一様に圧電体膜を形成する工程と、
前記圧電体膜上に、一様に上層金属膜を形成する工程と、
前記上層金属膜上に第１レジスト膜をパターニングする工程と、
前記第１レジスト膜をエッチングマスクとして、前記上層金属膜及び前記圧電体膜をドライエッチングして前記下層金属膜を露出させる工程と、
前記上層金属膜及び前記下層金属膜上に第２レジスト膜をパターニングする工程と有し、
前記第２レジスト膜、前記上層金属膜、又は前記下層金属膜をエッチングマスクとして、前記絶縁膜及び前記シリコン基板をドライエッチングすることにより、リング状振動体及び前記リング状振動体を柔軟に支持するとともに固定端を有するレッグ部、並びに、Ｎを２以上の自然数とした場合に、ｃｏｓＮθの振動モードで前記リング状振動体の一次振動を励起する、互いに円周方向に（３６０／Ｎ）°離れた角度に配置された一群の駆動電極と、前記駆動電極のいずれかから時計回り及び／又は反時計回りに（９０／Ｎ）°離れた角度に配置され、かつ前記リング状振動体に角速度が与えられたときに発生する二次振動を検出する検出電極と、前記駆動電極のいずれかから時計回り又は反時計回りに（９０／Ｎ）°離れた角度あるいは前記検出電極から（１８０／Ｎ）°離れた角度に配置され、かつ前記検出電極からの電圧信号に基づいて前記二次振動を抑制する抑制電極とが形成される
振動ジャイロの製造方法。
【発明の詳細な説明】
【技術分野】
【０００１】
本発明は、圧電体膜を用いた振動ジャイロ及びその振動ジャイロの製造方法に関する。
【背景技術】
【０００２】
近年、圧電材料を用いた振動ジャイロすなわち振動を利用するジャイロスコープ又は角速度センサが盛んに開発されている。従来から、特許文献１に記載されているような振動体自体が圧電材料で構成されるジャイロが開発される。その一方、振動体上に形成される圧電体膜を利用するジャイロも存在する。例えば、特許文献２では、圧電材料であるＰＺＴ膜を用いることによって、振動体の一次振動を励起するとともに、その振動体に角速度が与えられた際に、その振動体に発生するコリオリ力によってジャイロの一部に生じる歪みをも検出する技術が開示されている。
【０００３】
他方、ジャイロが搭載される各種機器のサイズが日進月歩で小型化されている中で、ジャイロそれ自体の小型化も重要な課題である。ジャイロの小型化を達成するためには、ジャイロを構成する各部材の加工精度を格段に高めることが必要となる。また、単に小型化をするだけでなく、ジャイロとしての性能、換言すれば、角速度の検出精度を更に高めることが産業界の強い要望といえる。しかしながら、特許文献２に示されているジャイロの構造は、ここ数年来の小型化及び高性能化の要求を満足するものではない。
【先行技術文献】
【特許文献】
【０００４】
【特許文献１】特開平８−２７１２５８号公報
【特許文献２】特開２０００−９４７３号公報
【発明の概要】
【発明が解決しようとする課題】
【０００５】
上述の通り、圧電体膜を用いた振動ジャイロの小型化と高い加工精度とを達成しつつ、ジャイロとしての高性能化の要求を同時に満足することは非常に難しい。一般的には、ジャイロが小型化されると、振動体に角速度が与えられた場合に、ジャイロの検出電極によって検出される信号が微弱になるという問題がある。従って、小型化された振動ジャイロは本来検出すべき信号と外部からの不意の衝撃（外乱）によって発生する信号との差が小さくなるため、ジャイロとしての検出精度を高めることが難しくなる。
【０００６】
ところで、外部からの不意の衝撃の中には、様々な種類の衝撃が存在する。例えば、上述の特許文献２に記載されたリング状の振動体では、リングの中心の固定ポストを軸として、リングの存在する面の上下方向にシーソーのような動きを与える衝撃がある。この衝撃により、ロッキングモードと呼ばれる振動が励起される。他方、前述の固定ポストに支持された振動体のリング状部材の全周が同時に、リングの存在する面の上方又は下方に曲げられる衝撃も存在する。この衝撃により、バウンスモードと呼ばれる振動が励起される。これらのような衝撃が振動ジャイロに生じたとしても、正確な角速度を検出する技術を確立することは極めて困難である。
【課題を解決するための手段】
【０００７】
本発明は、上述の技術課題を解決することにより、圧電体膜を用いた振動ジャイロすなわち振動を利用するジャイロスコープ又は角速度センサの小型化及び高性能化に大きく貢献するものである。発明者らは、まず、上記の技術課題のうち、外乱に対する影響が比較的小さいと考えられるリング状の振動ジャイロを基本構造として採用した。その上で、発明者らは、一次振動の励起とコリオリ力により形成される二次振動の検出を圧電体膜に担わせることによって、上記各技術課題を解決する構造について鋭意研究を行った。その結果、高い加工精度を達成しうるドライプロセスを圧電体膜を用いた振動ジャイロに適用するためには、振動ジャイロにおける各種電極の特有の配置が必要であることを見出した。加えて、発明者らは、振動ジャイロに対して角速度が与えられたときに発生する二次振動による電気信号の処理を工夫することにより、従来に比べて、応答性を犠牲にすることなく、Ｓ／Ｎ比が飛躍的に高まることを見出した。本発明はこのような視点で創出された。なお、本出願では、「円環状又は多角形状の振動ジャイロ」を、簡略化して「リング状振動ジャイロ」とも呼ぶ。
【０００８】
本発明の１つの振動ジャイロは、一様な平面を備えたリング状振動体と、そのリング状振動体を柔軟に支持するレッグ部と、そのリング状振動体の平面上又は上方に置かれ、圧電体膜を厚み方向に挟む上層金属膜及び下層金属膜の少なくともいずれにより形成される複数の電極とを備えている。ここで、前述の複数の電極は、Ｎを２以上の自然数とした場合に、ｃｏｓＮθの振動モードでそのリング状振動体の一次振動を励起する、互いに円周方向に（３６０／Ｎ）°離れた角度に配置された一群の駆動電極と、前述の駆動電極のいずれかから時計回り及び／又は反時計回りに（９０／Ｎ）°離れた角度に配置され、かつ前述のリング状振動体に角速度が与えられたときに発生する二次振動を検出する検出電極と、前述の駆動電極のいずれかから時計回り又は反時計回りに（９０／Ｎ）°離れた角度あるいは前述の検出電極から（１８０／Ｎ）°離れた角度に配置され、かつ前述の検出電極からの電圧信号に基づいて前記二次振動を抑制する抑制電極とを含んでいる。さらに、前述の駆動電極、前述の検出電極、及び前述の抑制電極は、前述のリング状振動体の外周縁からその外周縁の近傍に至るまでの領域及び／又は内周縁からその内周縁の近傍に至るまでの領域に配置されている。
【０００９】
この振動ジャイロによれば、リング状振動体が備える平面上であって、上記の特有の領域に圧電素子に対して電圧を印加したり圧電素子のひずみによって生じた電圧信号を拾ったりするための電極が形成されているため、一軸の角速度センサとして一次振動の励起と二次振動の検出が可能となる。つまり、この振動ジャイロでは、リング状振動体の側面に圧電素子を形成せずに、リング状振動体上の圧電素子が配置される平面と同一平面内で一次振動が励起され、かつリング状振動体の動きを制御する構造を有しているため、ドライプロセス技術を用いて高精度に電極及びリング状振動体の加工を行うことが可能となる。また、この振動ジャイロでは、上記の特有な領域に圧電素子を配置することにより、Ｎを２以上の自然数とした場合のｃｏｓＮθの振動モードに適用しうる自由度を備えている。すなわち、上記の特有の領域に圧電素子を配置することにより、平面内振動を利用する振動ジャイロの駆動力、検出能力、及び抑制力が発揮される。さらに、この振動ジャイロは、二次振動を検出する検出電極からの電圧信号に基づいてその二次振動を抑制する抑制電極を備えているため、外部からのノイズに対する出力信号の強度の比率、すなわち、Ｓ／Ｎ比が飛躍的に高まる。なお、ｃｏｓＮθの振動モードの複数の例は、例えば、特表２００５−５２９３０６号公報、又は、本願出願人による特許出願である特願２００７−２０９０１４に記載されている。また、本出願において、「柔軟な」とは「振動体が振動可能な程度に」という意味である。また、本出願では、電極の配置を記述するために、基準となる電極から「離れた角度」との表現が用いられる。ここでの角度は、基準となる電極の方位角を０度としたときの各電極の方位角の値である。各電極の方位角は、リング状振動体の円周又は円環の中央部に取った任意の点（例えば、リング状振動体が円形のときは、例えばその円の中心である。以下、この中心を「基準点」という。）からその電極に向かう直線の方位角とすることができる。この直線は、各電極を通過するような任意の直線とすることができ、代表的には、各電極の図形的な中心、重心、又は、いずれかの頂点と上記の基準点とを通過する直線とすることができる。例えば、基準駆動電極から３０°離れた角度に配置された電極とは、その電極の中心と、基準駆動電極の中心とが、上記の基準となる電極の方位角に対して３０°の角をなすような配置にある電極をいう。なお、特に断りのない限り、角度の表記は時計回りの向きを角度が増加する方向にとって説明するが、角度が増加する方向を反時計回りに定めても、規定された角度の条件を満たす限り、その角度の表記は本発明の範囲内である。
【００１０】
本発明のもう１つの振動ジャイロは、一様な平面を備えたリング状振動体と、そのリング状振動体を柔軟に支持するレッグ部と、そのリング状振動体の平面上又はその上方に置かれ、圧電体膜を厚み方向に挟む上層金属膜及び下層金属膜の少なくともいずれかにより形成される複数の電極とを備えている。ここで、前述の複数の電極は、Ｎを２以上の自然数とした場合に、ｃｏｓＮθの振動モードでそのリング状振動体の一次振動を励起する、互いに円周方向に（３６０／Ｎ）°離れた角度に配置された一群の駆動電極と、前記各々の駆動電極から｛（１８０／Ｎ）−（４５／Ｎ）｝°超｛（１８０／Ｎ）＋（４５／Ｎ）｝°未満に離れた角度の領域内に配置された一群のモニター電極と、前述の駆動電極のいずれかから時計回り及び／又は反時計回りに（９０／Ｎ）°離れた角度に配置され、かつ前述のリング状振動体に角速度が与えられたときに発生する二次振動を検出する検出電極と、前述の駆動電極のいずれかから時計回り又は反時計回りに（９０／Ｎ）°離れた角度あるいは前述の検出電極から（１８０／Ｎ）°離れた角度に配置され、かつ前述の検出電極からの電圧信号に基づいて前記二次振動を抑制する抑制電極とを含んでいる。さらに、前述の各々の駆動電極、前述の各々のモニター電極、前述の検出電極、及び前述の抑制電極は、前述のリング状振動体の外周縁からその外周縁の近傍に至るまでの領域及び／又は内周縁からその内周縁の近傍に至るまでの領域に配置されている。
【００１１】
この振動ジャイロによれば、リング状振動体が備える平面上であって上記の特有の領域に、圧電素子に対して電圧を印加したり圧電素子のひずみによって生じた電圧信号を拾ったりするための電極が形成されているため、一軸の角速度センサとして一次振動の励起と二次振動の検出が可能となる。つまり、この振動ジャイロでは、リング状振動体の側面に圧電素子を形成せずに、リング状振動体上の圧電素子が配置される平面と同一平面内で一次振動が励起され、かつリング状振動体の動きを制御する構造を有しているため、ドライプロセス技術を用いて高精度に電極及びリング状振動体の加工を行うことが可能となる。また、この振動ジャイロでは、上記の特有な領域に圧電素子を配置することにより、Ｎを２以上の自然数とした場合のｃｏｓＮθの振動モードに適用しうる自由度を備えている。すなわち、上記の特有の領域に圧電素子を配置することにより、平面内振動を利用する振動ジャイロの駆動力、検出能力、及び抑制力が発揮される。さらに、この振動ジャイロは、二次振動を検出する検出電極からの電圧信号に基づいてその二次振動を抑制する抑制電極を備えているため、Ｓ／Ｎ比が飛躍的に高まる。
【００１２】
本発明のもう１つの振動ジャイロは、一様な平面を備えたリング状振動体と、そのリング状振動体を柔軟に支持するレッグ部と、そのリング状振動体の平面上又はその上方に置かれ、圧電体膜を厚み方向に挟む上層金属膜及び下層金属膜の少なくともいずれかにより形成される複数の電極とを備えている。ここで、前述の複数の電極は、Ｎを２以上の自然数とした場合に、ｃｏｓＮθの振動モードでそのリング状振動体の一次振動を励起する、互いに円周方向に（３６０／Ｎ）°離れた角度に配置された一群の駆動電極と、前述の各々の駆動電極によって生じる一次振動の振動軸に対して（９０／Ｎ）°傾いた、前述のリング状振動体に角速度が与えられたときに発生する二次振動の振動軸に沿ういずれかの角度に配置された、その二次振動を検出する検出電極及びその検出電極からの電圧信号に基づいてその二次振動を抑制する抑制電極とを含んでいる。さらに、前述の各々の駆動電極、前述の検出電極、及び前述の抑制電極は、前述のリング状振動体の外周縁からその外周縁の近傍に至るまでの領域及び／又は内周縁からその内周縁の近傍に至るまでの領域に配置されている。なお、本出願において、振動軸とは、記述している振動の振幅が最も大きくなるような方位をいい、リング状振動体上の方向によって示す。
【００１３】
この振動ジャイロによれば、リング状振動体が備える平面上であって上記の特有の領域に、圧電素子に対して電圧を印加したり圧電素子のひずみによって生じた電圧信号を拾ったりするための電極が形成されているため、一軸の角速度センサとして一次振動の励起と二次振動の検出が可能となる。つまり、この振動ジャイロでは、リング状振動体の側面に圧電素子を形成せずに、リング状振動体上の圧電素子が配置される平面と同一平面内で一次振動が励起され、かつリング状振動体の動きを制御する構造を有しているため、ドライプロセス技術を用いて高精度に電極及びリング状振動体の加工を行うことが可能となる。また、この振動ジャイロでは、上記の特有な領域に圧電素子を配置することにより、Ｎを２以上の自然数とした場合のｃｏｓＮθの振動モードに適用しうる自由度を備えている。すなわち、上記の特有の領域に圧電素子を配置することにより、平面内振動を利用する振動ジャイロの駆動力、検出能力、及び抑制力が発揮される。さらに、この振動ジャイロは、二次振動を検出する検出電極からの電圧信号に基づいてその二次振動を抑制する抑制電極を備えているため、Ｓ／Ｎ比が飛躍的に高まる。
【００１４】
また、本発明の１つの振動ジャイロの製造方法は、シリコン基板上に、一様に絶縁膜を形成する工程と、その絶縁膜上に、一様に下層金属膜を形成する工程と、その下層金属膜上に、一様に圧電体膜を形成する工程と、その圧電体膜上に、一様に上層金属膜を形成する工程と、その上層金属膜上に第１レジスト膜をパターニングする工程と、その上層金属膜をドライエッチングして前述の圧電体膜を露出させる工程と、その上層金属膜及びその圧電体膜上に第２レジスト膜をパターニングする工程と有している。さらに、本発明の１つの振動ジャイロの製造方法は、そのパターニングの後、前述の第２レジスト膜、前述の上層金属膜、又は前述の圧電体膜をエッチングマスクとして、その下層金属膜、その絶縁膜、及びそのシリコン基板をドライエッチングすることにより、リング状振動体及びそのリング状振動体を柔軟に支持するとともに固定端を有するレッグ部、並びに、Ｎを２以上の自然数とした場合に、ｃｏｓＮθの振動モードでそのリング状振動体の一次振動を励起する、互いに円周方向に（３６０／Ｎ）°離れた角度に配置された一群の駆動電極と、前述の各々の駆動電極から時計回り及び／又は反時計回りに（９０／Ｎ）°離れた角度に配置され、かつそのリング状振動体に角速度が与えられたときに発生する二次振動を検出する検出電極と、前述の各々の駆動電極から時計回り又は反時計回りに（９０／Ｎ）°離れた角度あるいは前述の検出電極から（１８０／Ｎ）°離れた角度に配置され、かつ前記検出電極からの電圧信号に基づいて前記二次振動を抑制する抑制電極とが形成される工程を有している。
【００１５】
この振動ジャイロの製造方法によれば、ドライプロセス技術による高精度の加工が可能となるため、リング状振動体が備える平面上の特有の領域に圧電素子を形成することが可能となる。その結果、圧電素子をリング状振動体の側面に配置することなく、その平面上の圧電素子のみが一軸の角速度センサとしての一次振動の励起と二次振動の検出の役割を担うことができる、Ｓ／Ｎ比が飛躍的に高められた振動ジャイロが製造される。
【００１６】
また、リング状振動体をシリコン基板から形成するため、レジスト膜との選択比も十分に高い公知のシリコントレンチエッチング技術が適用できる。なお、仮にそのレジスト膜が消失しても、その下層にある上層金属膜又は圧電体膜がシリコンのエッチングの際のマスクとしての役割を果たす十分な選択比を備えている。
【００１７】
また、本発明のもう１つの振動ジャイロの製造方法は、シリコン基板上に、一様に絶縁膜を形成する工程と、その絶縁膜上に、一様に下層金属膜を形成する工程と、その下層金属膜上に、一様に圧電体膜を形成する工程と、その圧電体膜上に、一様に上層金属膜を形成する工程と、その上層金属膜上に第１レジスト膜をパターニングする工程と、その第１レジスト膜をエッチングマスクとして、前述の上層金属膜及び前述の圧電体膜をドライエッチングして前述の下層金属膜を露出させる工程と、その上層金属膜及びその下層金属膜上に第２レジスト膜をパターニングする工程とを有している。さらに、本発明のもう１つの振動ジャイロの製造方法は、そのパターニングの後、前述の第２レジスト膜、前述の上層金属膜、又は前述の下層金属膜をエッチングマスクとして、その絶縁膜、及びそのシリコン基板をドライエッチングすることにより、リング状振動体及び前記リング状振動体を柔軟に支持するとともに固定端を有するレッグ部、並びに、Ｎを２以上の自然数とした場合に、ｃｏｓＮθの振動モードで前述のリング状振動体の一次振動を励起する、互いに円周方向に（３６０／Ｎ）°離れた角度に配置された一群の駆動電極と、前述の各々の駆動電極から時計回り及び／又は反時計回りに（９０／Ｎ）°離れた角度に配置され、かつ前述のリング状振動体に角速度が与えられたときに発生する二次振動を検出する検出電極と、前述の各々の駆動電極から時計回り又は反時計回りに（９０／Ｎ）°離れた角度あるいは前述の検出電極から（１８０／Ｎ）°離れた角度に配置され、かつ前記検出電極からの電圧信号に基づいて前記二次振動を抑制する抑制電極とが形成される工程を有している。
【００１８】
この振動ジャイロの製造方法によっても、ドライプロセス技術による高精度の加工が可能となるため、リング状振動体が備える平面上の特有の領域に圧電素子を形成することが可能となる。その結果、圧電素子をリング状振動体の側面に配置することなく、その平面上の圧電素子のみが一軸の角速度センサとしての一次振動の励起と二次振動の検出の役割を担うことができる、Ｓ／Ｎ比が飛躍的に高められた振動ジャイロが製造される。
【発明の効果】
【００１９】
本発明の１つの振動ジャイロによれば、リング状振動体の側面に圧電素子を形成せずに、リング状振動体上の圧電素子が配置される平面と同一平面内で一次振動が励起され、かつリング状振動体の動きも制御され得る。また、リング状振動体が備える平面に対するドライプロセス技術を用いて高精度に電極及びリング状振動体の加工を行うことが可能となる。また、この振動ジャイロは、特有な領域に圧電素子を配置することにより、Ｎを２以上の自然数とした場合のｃｏｓＮθの振動モードに適用しうる自由度を備えている。すなわち、上記の特有の領域に圧電素子を配置することにより、平面内振動を利用する振動ジャイロの駆動力、検出能力、及び抑制力が発揮される。
【００２０】
一方、本発明の１つの振動ジャイロの製造方法によれば、ドライプロセス技術による高精度の加工が可能となるため、リング状振動体が備える平面上の特有の領域に圧電素子を形成することが可能となる。その結果、圧電素子をリング状振動体の側面に配置することなく、その平面上の圧電素子のみが一軸の角速度センサとしての一次振動の励起と二次振動の検出の役割を担うことができる、Ｓ／Ｎ比が飛躍的に高められた振動ジャイロが製造される。
【図面の簡単な説明】
【００２１】
【図１】本発明の１つの実施形態におけるリング状振動ジャイロの中心的役割を果たす構造体の正面図である。
【図２Ａ】図１に示す構造体の斜視図である。
【図２Ｂ】図２Ａの一部（Ｗ部）の拡大図である。
【図３】図１のＸ−Ｘ断面図である。
【図４Ａ】本発明の１つの実施形態におけるリング状振動ジャイロの一部の製造工程の過程を示す断面図である。
【図４Ｂ】本発明の１つの実施形態におけるリング状振動ジャイロの一部の製造工程の過程を示す断面図である。
【図４Ｃ】本発明の１つの実施形態におけるリング状振動ジャイロの一部の製造工程の過程を示す断面図である。
【図４Ｄ】本発明の１つの実施形態におけるリング状振動ジャイロの一部の製造工程の過程を示す断面図である。
【図４Ｅ】本発明の１つの実施形態におけるリング状振動ジャイロの一部の製造工程の過程を示す断面図である。
【図４Ｆ】本発明の１つの実施形態におけるリング状振動ジャイロの一部の製造工程の過程を示す断面図である。
【図５】本発明の他の実施形態におけるリング状振動ジャイロの中心的役割を果たす構造体の正面図である。
【図６】図５のＹ−Ｙ断面図である。
【図７】本発明の他の実施形態におけるリング状振動ジャイロの中心的役割を果たす構造体の正面図である。
【図８】図７のＺ−Ｚ断面図である。
【図９】本発明の１つの実施形態におけるリング状振動ジャイロの中心的役割を果たす構造体の正面図である。
【図１０】本発明の１つの実施形態におけるリング状振動ジャイロの中心的役割を果たす構造体の正面図である。
【図１１】本発明の他の実施形態におけるリング状振動ジャイロの中心的役割を果たす構造体の正面図である。
【図１２】本発明の他の実施形態におけるリング状振動ジャイロの中心的役割を果たす構造体の正面図である。
【図１３】本発明の他の実施形態におけるリング状振動ジャイロの中心的役割を果たす構造体の正面図である。
【図１４Ａ】本発明の他の実施形態におけるリング状振動ジャイロの中心的役割を果たす構造体の正面図である。
【図１４Ｂ】本発明の他の実施形態におけるリング状振動ジャイロの中心的役割を果たす構造体の正面図である。
【図１５】本発明の他の実施形態におけるリング状振動ジャイロの中心的役割を果たす構造体の正面図である。
【図１６】本発明の他の実施形態におけるリング状振動ジャイロの中心的役割を果たす構造体の正面図である。
【図１７】第１検出電極と第２検出電極の電気的信号の正負を概念的に説明する図である。
【図１８】本発明の他の実施形態におけるリング状振動ジャイロの中心的役割を果たす構造体の正面図である。
【図１９】本発明の他の実施形態におけるリング状振動ジャイロの中心的役割を果たす構造体の正面図である。
【図２０Ａ】本発明の他の実施形態におけるリング状振動ジャイロの中心的役割を果たす構造体の正面図である。
【図２０Ｂ】図２０ＡのＴ−Ｔ断面図である。
【図２１Ａ】本発明の他の実施形態におけるｃｏｓ３θの振動モードの一次振動を概念的に説明する図である。
【図２１Ｂ】本発明の他の実施形態におけるｃｏｓ３θの振動モードの二次振動を概念的に説明する図である。
【図２２】本発明の他の実施形態における振動体形状を説明する図である。
【発明を実施するための形態】
【００２２】
つぎに、本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号又は構成が省略され得る。
【００２３】
＜第１の実施形態＞
図１は、本実施形態におけるリング状振動ジャイロ１００の中心的役割を果たす構造体の正面図である。図２Ａは、図１に示す構造体の斜視図であり、図２Ｂは、図２Ａの一部（Ｗ部）の拡大図である。また、図３は、図１のＸ−Ｘ断面図である。
【００２４】
図１乃至図３に示すとおり、本実施形態のリング状振動ジャイロ１００は、大きく３つの領域に分類される。第１の領域は、シリコン基板１０から形成されるリング状振動体１１の上部の平面（以下、上面という）上に、シリコン酸化膜２０を備え、さらにその上に、圧電体膜４０が下層金属膜３０及び上層金属膜５０に挟まれることにより形成される複数の電極１３ａ〜１３ｄを備えた領域である。本実施形態では、複数の電極１３ａ〜１３ｄを構成する上層金属膜５０の外側端部は、約４０μｍ幅のリング状平面を有するリング状振動体１１の外周縁から約１μｍ内側に形成され、その幅は約１８μｍである。また、その上層金属膜５０は、リング状振動体１１の上面であるリング状平面の幅の両端間の中央を結ぶ線（以下、単に中央線という）よりも外側に形成されている。
【００２５】
ところで、本実施形態では、ｃｏｓ２θの振動モードでリング状振動ジャイロ１００の一次振動が励起される。従って、前述の複数の電極１３ａ〜１３ｄの内訳は、以下の（ａ）乃至（ｄ）のとおりである。
（ａ）互いに円周方向に１８０°離れた角度に配置された２つの駆動電極１３ａ，１３ａ
（ｂ）駆動電極１３ａ，１３ａから円周方向であって９０°離れた角度に配置された２つのモニター電極１３ｃ，１３ｃ
（ｃ）リング状振動ジャイロ１００に角速度が与えられたときに発生する二次振動を検出する、検出電極１３ｂ，１３ｂ
（ｄ）前述の検出電極からの電圧信号に基づいて二次振動を抑制する抑制電極１３ｄ，１３ｄ
【００２６】
本実施形態では、検出電極１３ｂ，１３ｂは、駆動電極１３ａ，１３ａから円周方向であって時計回りに４５°離れた角度に配置される。また、抑制電極１３ｄ，１３ｄは、検出電極から円周方向であって９０°離れた角度、換言すれば、駆動電極１３ａ，１３ａから円周方向であって反時計回りに４５°離れた角度に配置される。更に、別の言葉で表現すれば、検出電極１３ｂ，１３ｂ及び抑制電極１３ｄ，１３ｄは、駆動電極１３ａ，１３ａによって生じる一次振動の振動軸に対して４５°傾いた、リング状振動体１１に角速度が与えられたときに発生する二次振動の振動軸上に配置されている。
【００２７】
また、本実施形態では、下層金属膜３０及び上層金属膜５０の厚みは１００ｎｍであり、圧電体膜４０の厚みは、３μｍである。また、シリコン基板１０の厚みは１００μｍである。なお、図１においてＶで示される斜線領域又は図２ＢにおいてＶで示される領域は、リング状振動ジャイロ１００を構成する構造体が何も存在しない空間又は空隙部分であり、図面を分かりやすくするために便宜上設けられた領域である。
【００２８】
第２の領域は、リング状振動体１１の一部と連結しているレッグ部１５，・・・，１５である。このレッグ部１５，・・・，１５もシリコン基板１０から形成されている。また、レッグ部１５,・・・,１５上には、リング状振動体１１上のそれらと連続する上述のシリコン酸化膜２０、下層金属膜３０、及び圧電体膜４０がレッグ部１５，・・・，１５の上面全体に形成されている。さらに、圧電体膜４０の上面の中央線上には、幅約８μｍの引き出し電極１４，・・・，１４である上層金属膜５０が形成されている。
【００２９】
第３の領域は、上述のレッグ部１５，・・・，１５に連結しているシリコン基板１０から形成される支柱１９及び電極パッド１８，・・・，１８を備えた電極パッド用固定端部１７，・・・，１７である。本実施形態では、支柱１９が、図示しないリング状振動ジャイロ１００のパッケージ部に連結し、固定端としての役割を果たしている。また、本実施形態のリング状振動ジャイロ１００は、支柱１９以外の固定端として、電極パッド用固定端部１７，・・・，１７を備えている。この電極パッド用固定端部１７，・・・，１７は、支柱１９及び上述のパッケージ部のみに連結しているため、実質的にリング状振動体１１の動きを阻害しない。また、図３に示すように、支柱１９及び電極パッド用固定端部１７，・・・，１７の上面には、グラウンド電極である固定電位電極１６を除き、レッグ部１５，・・・，１５上のそれらと連続する上述のシリコン酸化膜２０、下層金属膜３０、及び圧電体膜４０が形成されている。ここで、シリコン酸化膜２０上に形成された下層金属膜３０が固定電位電極１６の役割を担っている。また、支柱１９及び電極パッド用固定端部１７，・・・，１７上に形成されている圧電体膜２０の上面には、レッグ部１５，・・・，１５上のそれと連続する前述の引き出し電極１４，・・・，１４及び電極パッド１８，・・・，１８が形成されている。
【００３０】
次に、本実施形態のリング状振動ジャイロ１００の製造方法について、図４Ａ乃至図４Ｆに基づいて説明する。なお、図４Ａ乃至図４Ｆは、図３における一部の範囲に対応する断面図である。
【００３１】
まず、図４Ａに示すように、シリコン基板１０上に、シリコン酸化膜２０、下層金属膜３０、圧電体膜４０、及び上層金属膜５０が積層されている。前述の各膜は公知の成膜手段によって形成されている。本実施形態では、シリコン酸化膜２０は公知の手段による熱酸化膜である。また、下層金属膜３０、圧電体膜４０、及び上層金属膜５０は、いずれも公知のスパッタリング法により形成されている。なお、これらの膜の形成は、前述の例に限定されず、他の公知の手段によっても形成され得る。
【００３２】
次に、上層金属膜５０の一部がエッチングされる。本実施形態では、上層金属膜５０上に公知のレジスト膜を形成した後、フォトリソグラフィ技術により形成されたパターンに基づいてドライエッチングを行うことにより、図４Ｂに示される上層金属膜５０が形成される。ここで、上層金属膜５０のドライエッチングは、アルゴン（Ａｒ）又はアルゴン（Ａｒ）と酸素（Ｏ２）の混合ガスを用いた公知のリアクティブイオンエッチング（ＲＩＥ）条件によって行われた。
【００３３】
その後、図４Ｃに示すように、圧電体膜４０の一部がエッチングされる。まず、上述の同様、フォトリソグラフィ技術によりパターニングがされたレジスト膜に基づいて、圧電体膜４０がドライエッチングされる。なお、本実施形態の圧電体膜４０のドライエッチングは、アルゴン（Ａｒ）とＣ２Ｆ６ガスの混合ガス、又はアルゴン（Ａｒ）とＣ２Ｆ６ガスとＣＨＦ３ガスの混合ガスを用いた公知のリアクティブイオンエッチング（ＲＩＥ）条件によって行われた。
【００３４】
続いて、図４Ｄに示すように、下層金属膜３０の一部がエッチングされる。本実施形態では、下層金属膜３０を利用した固定電位電極１６が形成されるように、再度、フォトリソグラフィ技術によってパターニングされたレジスト膜を用いてドライエッチングされる。本実施形態では、固定電位電極１６は、グラウンド電極として利用される。なお、本実施形態の下層金属膜３０のドライエッチングは、アルゴン（Ａｒ）又はアルゴン（Ａｒ）と酸素（Ｏ２）の混合ガスを用いた公知のリアクティブイオンエッチング（ＲＩＥ）条件によって行われた。
【００３５】
ところで、本実施形態では、前述の再び形成されたレジスト膜をエッチングマスクとして、その後のシリコン酸化膜２０及びシリコン基板１０を連続的にエッチングするため、このレジスト膜の厚みは、約４μｍになるように形成されている。但し、万一、このレジスト膜がシリコン基板１０のエッチング中に消失した場合であっても、シリコン基板１０に用いられるエッチャントに対するエッチングレートの選択比が有利に働くため、前述のエッチングによって下層金属膜３０の性能は実質的に影響を受けない。
【００３６】
次に、図４Ｅ及び図４Ｆに示すように、上述の通り、下層金属膜３０をエッチングするためのレジスト膜を利用して、シリコン酸化膜２０及びシリコン基板１０をドライエッチングする。本実施形態のシリコン酸化膜２０のドライエッチングは、アルゴン（Ａｒ）又はアルゴン（Ａｒ）と酸素（Ｏ２）の混合ガスを用いた公知のリアクティブイオンエッチング（ＲＩＥ）条件によって行われた。また、本実施形態のシリコン基板１０のドライエッチングの条件は、公知のシリコントレンチエッチング技術が適用される。ここで、シリコン基板１０は貫通エッチングされる。従って、前述のドライエッチングは、貫通時にシリコン基板１０を載置するステージをプラズマに曝さないようにするための保護基板をシリコン基板１０の下層に伝熱性の優れたグリース等により貼り付けた状態で行われる。そのため、例えば、貫通後にシリコン基板１０の厚さ方向に垂直な方向の面、換言すればエッチング側面が侵食されることを防ぐために、特開２００２−１５８２１４号公報に記載されているドライエッチング技術が採用されることは好ましい一態様である。
【００３７】
上述の通り、シリコン基板１０及びシリコン基板１０上に積層された各膜のエッチングによって、リング状振動ジャイロ１００の中心的な構造部が形成されたのち、公知の手段によるパッケージへの収容工程、及び配線工程を経ることにより、リング状振動ジャイロ１００が形成される。
【００３８】
次に、リング状振動ジャイロ１００が備える各電極の作用について説明する。上述の通り、本実施形態はｃｏｓ２θの振動モードの一次振動が励起される。なお、固定電位電極１６が接地されるため、固定電位電極１６と連続して形成されている下層電極膜３０は一律に０Ｖになっている。
【００３９】
最初に、図１に示すように、２つの駆動電極１３ａ，１３ａに１ＶＰ−０の交流電圧が印加される。その結果、圧電体膜４０が伸縮して一次振動が励起される。ここで、本実施形態では上層金属膜５０がリング状振動体１１の上面における中央線よりも外側に形成されているため、リング状振動体１１の側面に形成されることなく圧電体膜４０の伸縮運動をリング状振動体１１の一次振動に変換することが可能となる。
【００４０】
次に、図１に示すモニター電極１３ｃ，１３ｃが、上述の一次振動の振幅及び共振周波数を検出して、図示しない公知のフィードバック制御回路に信号を送信する。このフィードバック制御回路は、駆動電極１３ａ，１３ａに印加される交流電圧の周波数とリング状振動体１１が持つ固有周波数が一致するように制御するとともに、リング状振動体１１の振幅がある一定の値となるようにモニター電極１３ｃ，１３ｃの信号を用いて制御している。その結果、リング状振動体１１は、一定の振動が持続される。
【００４１】
上述の一次振動が励起された後、図１に示すリング状振動ジャイロ１００の配置された平面に垂直な軸（紙面に垂直な方向の軸、以下、単に「垂直軸」ともいう）の回りで角速度が加わると、ｃｏｓ２θの振動モードである本実施形態では、コリオリ力により一次振動の振動軸に対して両側に４５°傾いた新たな振動軸を有する二次振動が生じる。
【００４２】
この二次振動が２つの検出電極１３ｂ,１３ｂによって検出される。ここで、本実施形態のリング状振動ジャイロ１００は、これらの検出電極１３ｂ，１３ｂによって検出された二次振動に関する電圧信号を打ち消すために、換言すればそれらの電圧信号の値をゼロにするために、抑制電極１３ｄ，１３ｄに対して特定の電圧を与えるように指示又は制御するフィードバック制御回路６１，６２を備えている。なお、この特定の電圧が、振動ジャイロとしての結果出力として用いられる。
【００４３】
前述のとおり、検出電極１３ｂ，１３ｂからの電圧信号に基づいて二次振動を抑制する抑制電極１３ｄ，１３ｄを備えることにより、リング状振動ジャイロ１００は、そのリング状振動体１１の二次振動を殆ど振動させることなく、振動ジャイロとしての性能を発揮することができる。なお、本実施形態のリング状振動ジャイロ１００は、抑制電極１３ｄ，１３ｄ及びフィードバック制御回路６１，６２が設けられていない振動ジャイロと比べて、非常にノイズ性能に優れている。具体的には、本実施形態のリング状振動ジャイロ１００は、本願出願人が以前に提案したＰＣＴ／ＪＰ２００８／０７１３７２に記載された振動ジャイロの一例（第１の実施形態の振動ジャイロ）と比較して、特に、低周波領域のノイズの大きさが半分以下となる。従って、応答性を犠牲にすることなく、Ｓ／Ｎ比が飛躍的に高められる。なお、上述のフィードバック制御回路６１，６２は、公知のフィードバック制御回路が適用できる。
【００４４】
他方、本実施形態においてロッキングモードを励起する振動を伴う外乱が発生した場合、例えば図１に示すとおり、検出電極１３ｂ,１３ｂは、それぞれ円周方向に１８０°離れた場所に配置されているため、各々の検出電極１３ｂ,１３ｂに連結するレッグ部上の圧電体膜４０の伸縮は、仮に発生したとしても逆になる。その結果、各検出電極１３ｂの電気信号の正負が逆になる。従って、それらの電気信号は互いに相殺し合うことになる。このため、実質的に、ロッキングモードの振動によるリング状振動ジャイロ１００の動作への悪影響はなくなる。
【００４５】
上述の通り、本実施形態のリング状振動ジャイロ１００は、２つの検出電極１３ｂ,１３ｂ及び２つの抑制電極１３ｄ,１３ｄを備えることにより、二次振動の検出能力が高められるとともに、ロッキングモードの振動を励起する外部衝撃に対する耐衝撃性も高められる。
【００４６】
＜第２の実施形態＞
図５は、本実施形態におけるもう一つのリング状振動ジャイロ２００の中心的役割を果たす構造体の正面図である。また、図６は、図５のＹ−Ｙ断面図である。本実施形態のリング状振動ジャイロ２００は、第１の実施形態における圧電体膜４０及び上層金属膜５０を除き、第１の実施形態のリング状振動ジャイロ１００と同一の構成を備える。また、その製造方法は一部を除いて第１の実施形態と同じである。さらに、本実施形態の振動モードは、第１の実施形態と同様、ｃｏｓ２θの振動モードである。従って、第１の実施形態と重複する説明は省略され得る。なお、図５では、図面を見易くするため、便宜的に図１におけるフィードバック制御回路６１，６２が省略されている。
【００４７】
図５及び図６に示すとおり、本実施形態のリング状振動ジャイロ２００は、第１の実施形態の抑制電極１３ｄ,１３ｄの代わりに、抑制電極２１３ｄ,２１３ｄを備える。本実施形態の抑制電極２１３ｄ,２１３ｄの上層金属膜５０の外側端部は、リング状振動体１１の内周縁から約１μｍ内側に形成され、その幅は約１８μｍである。また、それらの上層金属膜５０は、リング状振動体１１のリング状平面の中央線よりも内側に形成されている。
【００４８】
本実施形態では、図６に示すように、実質的に上層金属膜５０が形成されている領域に合わせて圧電体膜４０がエッチングされている。このため、下層金属膜３０が形成されている領域に影響されずに、上層金属膜５０に印加された交流電圧が鉛直下向きのみに印加されるため、圧電体膜４０の望ましくない伸縮や電気信号の発信を防止することができる。なお、本実施形態では、上層金属膜５０のドライエッチング工程の後、上層金属膜５０上の残留レジスト膜又は上記金属膜５０それ自体をエッチングマスクとして、引き続いて第１の実施形態と同条件によるドライエッチングを行うことにより、前述の圧電体膜４０が形成される。また、図６に示すように、本実施形態では圧電体膜４０が傾斜状（例えば、傾斜角が７５°）にエッチングされている。しかしながら、図６のような急峻な傾斜を有する圧電体膜４０は、図５に示すリング状振動ジャイロ２００の正面視においては、他の領域と比較して実質的に視認されないものとして本出願では取り扱われる。
【００４９】
ここで、第１の実施形態と同様の一次振動が励起されたリング状振動ジャイロ２００に対し、リング状振動ジャイロ２００の垂直軸（紙面に垂直な方向）の回りの角速度が加わると、その二次振動が２つの検出電極１３ｂ,１３ｂによって検出される。ここで、本実施形態のリング状振動ジャイロ２００も、抑制電極２１３ｄ，２１３ｄに対して、前述の検出電極１３ｂ，１３ｂによって検出された二次振動に関する電圧信号を低減又は打ち消すための特定の電圧を与えるように指示又は制御するフィードバック制御回路（図示されていない）を備えている。なお、この特定の電圧が、振動ジャイロとしての結果出力として用いられる。
【００５０】
従って、検出電極１３ｂ，１３ｂからの電圧信号に基づいて二次振動を抑制する抑制電極２１３ｄ，２１３ｄを備えることにより、リング状振動ジャイロ２００は、そのリング状振動体１１の二次振動を殆ど振動させることなく、非常に応答性と検出能力に優れた振動ジャイロとしての性能を発揮することができる。
【００５１】
ところで、本実施形態では、レッグ部１５，・・・，１５上に、引き出し電極１４としての上層金属膜５０、圧電体膜４０、及び下層金属膜３０が形成されている。ここで、ロッキングモードを励起する振動を伴う外乱が発生した場合、例えば図５に示すとおり、検出電極１３ｂ,１３ｂは、それぞれ円周方向に１８０°離れた場所に配置されているため、検出電極１３ｂ,１３ｂに連結するレッグ部上の圧電体膜４０の伸縮は、仮に発生したとしても逆になる。その結果、各検出電極１３ｂの電気信号の正負が逆になる。従って、それらの電気信号は互いに相殺し合うことになる。
【００５２】
上述の通り、本実施形態のリング状振動ジャイロ２００は、２つの検出電極１３ｂ,１３ｂ及び２つの抑制電極２１３ｄ,２１３ｄを備えることにより、二次振動の検出能力が高められるとともに、ロッキングモードの振動を励起する外部衝撃に対する耐衝撃性も高められる。
【００５３】
＜第３の実施形態＞
図７は、本実施形態におけるもう一つのリング状振動ジャイロ３００の中心的役割を果たす構造体の正面図である。また、図８は、図７のＺ−Ｚ断面図である。本実施形態のリング状振動ジャイロ３００は、第１の実施形態における第１の領域の上層金属膜５０の配置を除き、第１の実施形態のリング状振動ジャイロ１００と同一の構成を備える。また、その製造方法は一部を除いて第１の実施形態と同じである。さらに、本実施形態の振動モードは、第１の実施形態と同様、ｃｏｓ２θの振動モードである。従って、第１の実施形態と重複する説明は省略され得る。なお、図７でも、図面を見易くするため、便宜的に図１におけるフィードバック制御回路６１，６２が省略されている。
【００５４】
図７及び図８に示すとおり、本実施形態のリング状振動ジャイロ３００は、第１の実施形態の検出電極１３ｂ,１３ｂの代わりに検出電極３１３ｂ,３１３ｂを備えるとともに、第１の実施形態の抑制電極１３ｄ,１３ｄの代わりに抑制電極３１３ｄ,３１３ｄを備える。本実施形態の検出電極３１３ｂ,３１３ｂ及び抑制電極３１３ｄ,３１３ｄの上層金属膜５０の外側端部は、リング状振動体１１の内周縁から約１μｍ内側に形成され、その幅は約１８μｍである。また、それらの上層金属膜５０は、リング状振動体１１の上面における中央線よりも内側に形成されている。
【００５５】
ここで、第１の実施形態と同様の一次振動が励起されたリング状振動ジャイロ３００に対し、リング状振動ジャイロ３００の垂直軸（紙面に垂直な方向）の回りで角速度が加わると、その二次振動が２つの検出電極３１３ｂ,３１３ｂによって検出される。ここで、本実施形態のリング状振動ジャイロ３００も、抑制電極３１３ｄ，３１３ｄに対して、前述の検出電極３１３ｂ，３１３ｂによって検出された二次振動に関する電圧信号を低減又は打ち消すための特定の電圧を与えるように指示又は制御するフィードバック制御回路（図示されていない）を備えている。なお、この特定の電圧が、振動ジャイロとしての結果出力として用いられる。
【００５６】
従って、検出電極３１３ｂ，３１３ｂからの電圧信号に基づいて二次振動を抑制する抑制電極３１３ｄ，３１３ｄを備えることにより、リング状振動ジャイロ３００は、そのリング状振動体１１の二次振動を殆ど振動させることなく、非常に応答性と検出能力に優れた振動ジャイロとしての性能を発揮することができる。
【００５７】
ところで、本実施形態では、レッグ部１５，・・・，１５上に、引き出し電極１４としての上層金属膜５０、圧電体膜４０、及び下層金属膜３０が形成されている。ロッキングモードを励起する振動を伴う外乱が発生した場合、例えば図７に示すとおり、検出電極３１３ｂ,３１３ｂは、それぞれ円周方向に１８０°離れた場所に配置されているため、検出電極３１３ｂ,３１３ｂに連結するレッグ部上の圧電体膜４０の伸縮は、仮に発生したとしても逆になる。その結果、各検出電極３１３ｂの電気信号の正負が逆になる。従って、それらの電気信号は互いに相殺し合うことになる。このため、実質的に、ロッキングモードの振動によるリング状振動ジャイロ２００の動作への悪影響はなくなる。
【００５８】
上述の通り、本実施形態のリング状振動ジャイロ３００は、２つの検出電極３１３ｂ,３１３ｂ及び２つの抑制電極３１３ｄ,３１３ｄを備えることにより、二次振動の検出能力が高められるとともに、ロッキングモードの振動を励起する外部衝撃に対する耐衝撃性も高められる。
【００５９】
＜第４の実施形態＞
図９は、本実施形態におけるもう一つのリング状振動ジャイロ１１０の中心的役割を果たす構造体の正面図である。このリング状振動ジャイロ１１０は、図１乃至図４に示したリング状振動ジャイロ１００において、９時方向には抑制電極を設けず、３時方向のみに抑制電極１３ｄを設けるようにした変形例である。それに伴って、フィードバック制御回路６１を用いず、６時方向に設ける検出電極１３ｂからの出力を１２時方向に設ける検出電極１３ｂからの出力とともにフィードバック制御回路６２に入力する。このフィードバック制御回路６２は、３時方向に設ける抑制電極１３ｄへ印加する電圧を生成するためにも用いる。このリング状振動ジャイロ１１０は、上記変更点以外、第１の実施形態のリング状振動ジャイロ１００と同一の構成を備える。また、その製造方法は一部を除いて第１の実施形態と同じである。さらに、本実施形態の振動モードは、第１の実施形態と同様、ｃｏｓ２θの振動モードである。従って、第１の実施形態と重複する説明は省略され得る。
【００６０】
このように、抑制電極１３ｄを３時方向のみに１つだけ設ける構成を有するリング状振動ジャイロ１１０においても、抑制電極１３ｄによって二次振動を抑制することができる。
【００６１】
また、リング状振動ジャイロ１１０は、ロッキングモードを励起する振動を伴う外乱が発生した場合に、そのロッキングモードの振動が動作への悪影響を実質的に生じさせない点もリング状振動ジャイロ１００と同様である。これは、図９に示すとおり、検出電極１３ｂ,１３ｂがそれぞれ円周方向に１８０°離れた場所に配置されているため、検出電極１３ｂ,１３ｂに連結するレッグ部上の圧電体膜４０の伸縮が逆になるためである。なお、リング状振動ジャイロ１１０においては、３時と９時の方向に抑制電極１３ｂ，１３ｂを設けるリング状振動ジャイロ１００に比べ、電気的配線やフィードバック制御回路が簡便なる利点がある。
【００６２】
逆に、リング状振動ジャイロ１００は、リング状振動ジャイロ１１０と比較して、二次振動を抑制する効果に優れ、応答性のよいジャイロを実現することができる。これは、第１の実施形態として説明したリング状振動ジャイロ１００においては、リング状振動ジャイロ１１０と比較して、二次振動を抑制するための抑制電極１３ｄ，１３ｄが３時と９時の方向に設けられているためである。二次振動の抑制のための駆動力がリング状振動体１１に対して対称性よく作用する。なお、リング状振動ジャイロ１００では、リング状振動ジャイロ１１０に比べて、１８０°互いに離れた角度となるように抑制電極１３ｄ，１３ｄを配置しているが、これは一次振動がｃｏｓ２θモードであるためであり、一次振動がｃｏｓＮθモード（Ｎは２以上の自然数）の場合には、に対しては、複数の抑制電極１３ｄ，・・・１３ｄを（３６０／Ｎ）°互いに離れた角度となるように配置することができる。
【００６３】
＜第５の実施形態＞
図１０は、本実施形態におけるもう一つのリング状振動ジャイロ１２０の中心的役割を果たす構造体の正面図である。このリング状振動ジャイロ１２０は、図１乃至図４に示したリング状振動ジャイロ１００において、６時方向には検出電極を設けず、１２時方向のみに検出電極１３ｂを設けるようにした変形例である。それに伴って、フィードバック制御回路６１を用いず、１２時方向に設ける検出電極１３ｂからの出力をフィードバック制御回路６２に入力する。このフィードバック制御回路６２は、３時および９時方向に設ける抑制電極１３ｄへ印加する電圧を生成するために用いる。このリング状振動ジャイロ１２０は、上記変更点以外、第１の実施形態のリング状振動ジャイロ１００と同一の構成を備える。また、その製造方法は一部を除いて第１の実施形態と同じである。さらに、本実施形態の振動モードは、第１の実施形態と同様、ｃｏｓ２θの振動モードである。従って、第１の実施形態と重複する説明は省略され得る。
【００６４】
このように、１２時方向に設けた検出電極１３ｂのみを用いる構成を有するリング状振動ジャイロ１２０においても、二次振動を抑制電極１３ｄ，１３ｄによって抑制することが可能となる。
【００６５】
また、リング状振動ジャイロ１２０では、１２時と６時の方向に検出電極１３ｂ，１３ｂを設けるリング状振動ジャイロ１００に比べ、二次振動を抑制する能力をほぼ同等に確保して電気的配線やフィードバック制御回路を簡便にすることができる利点がある。
【００６６】
逆に、第１の実施形態として説明したリング状振動ジャイロ１００は、リング状振動ジャイロ１２０と比較して、ロッキングモードの振動がリング状振動ジャイロ１００の動作へ実質的な悪影響を生じさせない効果に優れる。これは、二次振動を検出するための検出電極１３ｂ，１３ｂが１２時と６時の方向に設けられていることにより、ロッキングモードを励起する振動を伴う外乱が発生した場合において、検出電極１３ｂ,１３ｂに連結するレッグ部上の圧電体膜４０の伸縮が逆になるためである。なお、リング状振動ジャイロ１００では、リング状振動ジャイロ１２０に比べて、１８０°互いに離れた角度となるように検出電極１３ｂ，１３ｂを配置しているが、これは一次振動がｃｏｓ２θモードであるためであり、一次振動がｃｏｓＮθモード（Ｎは２以上の自然数）の場合には、に対しては、複数の検出電極１３ｂ，・・・１３ｂを（３６０／Ｎ）°互いに離れた角度となるように配置することができる。
【００６７】
＜第６の実施形態＞
図１１は、本実施形態におけるもう一つのリング状振動ジャイロ４００の中心的役割を果たす構造体の正面図である。本実施形態のリング状振動ジャイロ４００は、第１の実施形態におけるモニター電極に関わる第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１１でも、図面を見易くするため、便宜的にフィードバック制御回路６１，６２が省略されている。
【００６８】
本実施形態のリング状振動ジャイロ４００は、図１１に示すように４つのモニター電極４１３ｃ，・・・，４１３ｃを備えており、それぞれのモニター電極４１３ｃ，・・・，４１３ｃが引き出し電極を介して電極パッド１８，・・・，１８と接続している。これらのモニター電極４１３ｃ，・・・，４１３ｃは、第１の実施形態と同様、リング状振動体１１の一次振動の振幅及び共振周波数を検出して、図示しない公知のフィードバック制御回路に信号を送信する。その結果、リング状振動体１１は、一定の振動が持続される。
【００６９】
図１１に示すように、モニター電極４１３ｃ，・・・，４１３ｃは、必ずしも各々の駆動電極１３ａ，１３ａから（１８０／２）°、すなわち９０°離れた角度に配置される必要はない。図１１に示すモニター電極４１３ｃ，・・・，４１３ｃの配置であっても、本発明の主たる効果は奏される。すなわち、本実施形態の構造を採用することにより、平面内振動を利用する振動ジャイロの駆動力、検出能力、及び抑制力が発揮されるとともに、応答性を犠牲にすることなくＳ／Ｎ比が飛躍的に高められた振動ジャイロが得られる。なお、本実施形態では、モニター電極４１３ｃ，・・・，４１３ｃが、各駆動電極１３ａ，１３ａから９０°離れた角度を中心に、それぞれが等角度（２２．５°未満）ずつ離れた角度に配置されている。このため、製造工程のバラつきが引き起こすモニター電極４１３ｃ，・・・，４１３ｃの位置ずれに伴う検出感度の不均一性の影響が低減される。加えて、リング状振動体１１の二次振動による逆位相の出力が相互に抑制し合うため、新たに発生する二次振動の影響を受けることなく、一次振動の大きさを一定に保つことが可能となる。
【００７０】
＜第７の実施形態＞
図１２は、本実施形態におけるもう一つのリング状振動ジャイロ５００の中心的役割を果たす構造体の正面図である。本実施形態のリング状振動ジャイロ５００は、第１の実施形態における第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１２でも、図面を見易くするため、便宜的にフィードバック制御回路６１，６２が省略されている。
【００７１】
本実施形態のリング状振動ジャイロ５００は、図１２に示すように２つのモニター電極５１３ｃ，５１３ｃを備えており、それぞれのモニター電極５１３ｃ，５１３ｃが引き出し電極を介して電極パッド１８，１８と接続している。これらのモニター電極５１３ｃ，５１３ｃは、第１の実施形態と同様、リング状振動体１１の一次振動の振幅及び共振周波数を検出して、図示しない公知のフィードバック制御回路に信号を送信する。その結果、リング状振動体１１は、一定の振動が持続される。
【００７２】
図１２に示すように、モニター電極５１３ｃ，５１３ｃは、必ずしも各々の駆動電極１３ａ，１３ａから（１８０／２）°、すなわち９０°離れた角度に配置される必要はない。図１２に示すモニター電極５１３ｃ，５１３ｃの配置であっても、本発明の主たる効果は奏される。すなわち、本実施形態の構造を採用することにより、平面内振動を利用する振動ジャイロの駆動力、検出能力、及び抑制力が発揮されるとともに、応答性を犠牲にすることなくＳ／Ｎ比が飛躍的に高められた振動ジャイロが得られる。ここで、本実施形態では、モニター電極５１３ｃ，５１３ｃが、各駆動電極１３ａ，１３ａから９０°離れた角度を中心に、それぞれが時計周りに等角度（２２．５°未満）ずつ離れた角度に配置されている。このため、製造工程のバラつきが引き起こすモニター電極５１３ｃ，５１３ｃの位置ずれに伴う検出感度の不均一性の影響を低減することが可能となる。なお、モニター電極５１３ｃ，５１３ｃが、各駆動電極１３ａ，１３ａから９０°離れた角度を中心に、それぞれが反時計周りに等角度ずつ離れた角度に配置されていても前述と同様の効果が奏される。
【００７３】
＜第８の実施形態＞
図１３は、本実施形態におけるもう一つのリング状振動ジャイロ６００の中心的役割を果たす構造体の正面図である。本実施形態のリング状振動ジャイロ６００は、第１の実施形態における第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１３でも、図面を見易くするため、便宜的にフィードバック制御回路６１，６２が省略されている。
【００７４】
本実施形態のリング状振動ジャイロ６００は、図１３に示すように２つのモニター電極６１３ｃ，６１３ｃを備えており、それぞれのモニター電極６１３ｃ，６１３ｃが引き出し電極を介して電極パッド１８，１８と接続している。これらのモニター電極６１３ｃ，６１３ｃは、第１の実施形態と同様、リング状振動体１１の一次振動の振幅及び共振周波数を検出して、図示しない公知のフィードバック制御回路に信号を送信する。その結果、リング状振動体１１は、一定の振動が持続される。
【００７５】
図１３に示すように、モニター電極６１３ｃ，６１３ｃは、必ずしも各々の駆動電極１３ａ，１３ａから（１８０／２）°、すなわち９０°離れた角度に配置される必要はない。図１３に示すモニター電極６１３ｃ，６１３ｃの配置であっても、本発明の主たる効果は奏される。すなわち、本実施形態の構造を採用することにより、平面内振動を利用する振動ジャイロの駆動力、検出能力、及び抑制力が発揮されるとともに、応答性を犠牲にすることなくＳ／Ｎ比が飛躍的に高められた振動ジャイロが得られる。ここで、本実施形態では、モニター電極６１３ｃ，６１３ｃが、各駆動電極１３ａ，１３ａから９０°離れた角度を中心に、１つが反時計周りに、他方が時計回りに等角度（２２．５°未満）ずつ離れた角度に配置されている。その結果、リング状振動体１１の二次振動が仮に発生したとしても、それによる逆位相の出力が相互に抑制し合うため、新たに発生する二次振動の影響を受けることなく、一次振動の大きさを一定に保つことが可能となる。
【００７６】
＜第９の実施形態＞
図１４Ａは、本実施形態におけるもう一つのリング状振動ジャイロ７００の中心的役割を果たす構造体の正面図である。本実施形態のリング状振動ジャイロ７００は、第１の実施形態における第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１４Ａでも、図面を見易くするため、便宜的にフィードバック制御回路６１，６２が省略されている。
【００７７】
本実施形態のリング状振動ジャイロ７００は、図１４Ａに示すように２つのモニター電極５１３ｃ，５１３ｃを備えており、それぞれのモニター電極７１３ｃ，７１３ｃが引き出し電極を介して電極パッド１８，１８と接続している。これらのモニター電極７１３ｃ，７１３ｃは、第１の実施形態と同様、リング状振動体１１の一次振動の振幅及び共振周波数を検出して、図示しない公知のフィードバック制御回路に信号を送信する。その結果、リング状振動体１１は、一定の振動が持続される。
【００７８】
図１４Ａに示すように、モニター電極７１３ｃ，７１３ｃは、必ずしも各々の駆動電極１３ａ，１３ａから（１８０／２）°、すなわち９０°離れた角度に配置される必要はない。図１４Ａに示すモニター電極７１３ｃ，７１３ｃの配置であっても、本発明の主たる効果は奏される。すなわち、本実施形態の構造を採用することにより、平面内振動を利用する振動ジャイロの駆動力、検出能力、及び抑制力が発揮されるとともに、応答性を犠牲にすることなく、Ｓ／Ｎ比が飛躍的に高められた振動ジャイロが得られる。ここで、本実施形態では、モニター電極７１３ｃ，７１３ｃが、各駆動電極１３ａ，１３ａから９０°離れた角度を中心に、それぞれが反時計周りに等角度（２２．５°未満）ずつ離れた角度に配置されている。このため、製造工程のバラつきが引き起こすモニター電極４１３ｃ，・・・，４１３ｃの位置ずれに伴う検出感度の不均一性の影響が低減される。なお、モニター電極７１３ｃ，７１３ｃが、各駆動電極１３ａ，１３ａから９０°離れた角度を中心に、それぞれが時計周りに等角度ずつ離れた角度に配置されていても前述と同様の効果が奏される。
【００７９】
＜第９の実施形態の変形例＞
図１４Ｂは、本実施形態におけるもう一つのリング状振動ジャイロ７５０の中心的役割を果たす構造体の正面図である。本実施形態のリング状振動ジャイロ７５０は、第１の実施形態における第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１４Ｂでも、図面を見易くするため、便宜的にフィードバック制御回路６１，６２が省略されている。
【００８０】
本実施形態のリング状振動ジャイロ７５０は、図１４Ｂに示すように２つのモニター電極７５３ｃ，７５３ｃを備えており、それぞれのモニター電極７５３ｃ，７５３ｃが引き出し電極を介して電極パッド１８，１８と接続している。これらのモニター電極７５３ｃ，７５３ｃは、第１の実施形態と同様、リング状振動体１１の一次振動の振幅及び共振周波数を検出して、図示しない公知のフィードバック制御回路に信号を送信する。その結果、リング状振動体１１は、一定の振動が持続される。
【００８１】
図１４Ｂに示すように、モニター電極７５３ｃ，７５３ｃは、必ずしも各々の駆動電極１３ａ，１３ａから（１８０／２）°、すなわち９０°離れた角度に配置される必要はない。図１４Ｂに示すモニター電極７５３ｃ，７５３ｃの配置であっても、本発明の主たる効果は奏される。ここで、本実施形態では、モニター電極７５３ｃ，７５３ｃが、各駆動電極１３ａ，１３ａから９０°離れた角度を中心に、リング状振動体１１の外周側にある１つが反時計周りに、リング状振動体１１の内周側にある他方が時計回りに等角度（２２．５°未満）ずつ離れた角度に配置されている。その結果、このため、製造工程のバラつきが引き起こすモニター電極４１３ｃ，・・・，４１３ｃの位置ずれに伴う検出感度の不均一性の影響が低減される。
【００８２】
上述の第７乃至第９の実施形態及び第９の実施形態の変形例に示すように、モニター電極は、必ずしも各々の駆動電極１３ａ，１３ａから（１８０／２）°、すなわち９０°離れた角度に配置される必要はない。具体的には、ｃｏｓＮθの振動モードの場合、各モニター電極が、各駆動電極から｛（１８０／Ｎ）−（４５／Ｎ）｝°超｛（１８０／Ｎ）＋（４５／Ｎ）｝°未満に離れた角度の領域内に配置され、且つその各々のモニター電極が、リング状振動体１１の外周縁からその外周縁の近傍に至るまでの領域及び／又はその内周縁からその内周縁の近傍に至るまでの領域に配置されていることにより、本発明の主たる効果が奏される。加えて、特に小型化されたリング状振動体の限定された平面領域の中では、前述の範囲にモニター電極が配置されることが、他の電極群の配置及び／又は引き出し電極の配置を最も容易にすることになる。
【００８３】
＜第１０の実施形態＞
図１５は、本実施形態におけるもう一つのリング状振動ジャイロ８００の中心的役割を果たす構造体の正面図である。本実施形態のリング状振動ジャイロ８００は、第１の実施形態におけるレッグ部１５，・・・，１５の配置及び第１の領域の上層金属膜５０の配置を除き、第１の実施形態のリング状振動ジャイロ１００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１５でも、図面を見易くするため、便宜的にフィードバック制御回路６１，６２が省略されている。
【００８４】
本実施形態のリング状振動ジャイロ８００は、図１５に示すように、各々の駆動電極１３ａ，・・・，１３ａ（一部の交流電源１２は省略されている）、各々の検出電極１３ｂ，・・・，１３ｂ、及び各々の抑制電極１３ｄ，・・・，１３ｄが、リング状振動体１１の外周縁からその外周縁の近傍に至るまでの領域及びその内周縁からその内周縁の近傍に至るまでの領域に配置されている。また、各々のモニター電極１３ｃ，１３ｃは、リング状振動体１１の外周縁からその外周縁の近傍に至るまでの領域に配置されている。
【００８５】
本実施形態では、ｃｏｓ２θの振動モードでリング状振動ジャイロ８００の一次振動が励起される。従って、前述の複数の電極１３ａ〜１３ｄの内訳は、以下の（ａ）乃至（ｄ）のとおりである。
（ａ）リング状振動体１１の外周縁からその外周縁の近傍に至るまでの領域に、互いに円周方向に１８０°離れた角度に配置された２つの駆動電極１３ａ，１３ａと、リング状振動体１１の内周縁からその内周縁の近傍に至るまでの領域に、互いに円周方向に１８０°離れた角度に配置された２つの駆動電極１３ａ，１３ａ
（ｂ）駆動電極１３ａ，１３ａから円周方向であって９０°離れた角度に配置された２つのモニター電極１３ｃ，１３ｃ
（ｃ）リング状振動ジャイロ８００に角速度が与えられたときに発生する二次振動を検出する、検出電極１３ｂ，・・・，１３ｂ
（ｄ）前述の検出電極からの電圧信号に基づいて二次振動を抑制する抑制電極１３ｄ，・・・，１３ｄ
【００８６】
また、本実施形態では、検出電極１３ｂ，・・・，１３ｂは、駆動電極１３ａ，・・・，１３ａから円周方向であって時計回りに４５°離れた角度であり、且つリング状振動体１１の外周縁からその外周縁の近傍に至るまでの領域と、駆動電極１３ａ，・・・，１３ａから円周方向であって反時計回りに４５°離れた角度であり、且つリング状振動体１１の内周縁からその内周縁の近傍に至るまでの領域に配置される。また、抑制電極１３ｄ，・・・，１３ｄは、各検出電極１３ｂ，・・・，１３ｂから円周方向であって９０°離れた角度に配置される。換言すれば、検出電極１３ｂ，・・・，１３ｂ及び抑制電極１３ｄ，・・・，１３ｄは、駆動電極１３ａ，・・・，１３ａによって生じる一次振動の振動軸に対して４５°傾いた、リング状振動体１１に角速度が与えられたときに発生する二次振動の振動軸上に配置されている。
【００８７】
なお、本実施形態では、リング状振動体１１の外周縁からその外周縁の近傍に至るまでの領域の駆動電極１３ａ，・・・，１３ａに対する駆動電圧の位相は、その内周縁からその内周縁の近傍に至るまでの領域の駆動電極１３ａ，・・・，１３ａに対する駆動電圧の位相と逆となる。また、リング状振動体１１の外周縁からその外周縁の近傍に至るまでの領域内に配置される検出電極１３ｂ，・・・，１３ｂが検出する位相は、その内周縁からその内周縁の近傍に至るまでの領域の検出電極１３ｂ，・・・，１３ｂが検出する位相と同じになる。
【００８８】
本実施形態のように、各種の電極が、リング状振動体１１の外周縁からその外周縁の近傍に至るまでの領域に配置されると共に、その内周縁からその内周縁の近傍に至るまでの領域に配置された場合であっても、上述の各実施形態の効果と同様の効果が奏される。すなわち、本実施形態の構造を採用することにより、平面内振動を利用する振動ジャイロの駆動力、検出能力、及び抑制力が発揮されるとともに、応答性を犠牲にすることなく、Ｓ／Ｎ比が飛躍的に高められた振動ジャイロが得られる。特に、リング状振動体１１の外周縁からその外周縁の近傍に至るまでの領域に配置されると共に、その内周縁からその内周縁の近傍に至るまでの領域に配置された場合、各種の電極の配置が多少複雑化するが、リング状振動体１１の駆動能力や二次振動の検出能力が向上するため、本実施形態のリング状振動ジャイロ８００も好ましい一態様である。
【００８９】
また、本実施形態のリング状振動ジャイロ８００のモニター電極１３ｃ，１３ｃの一部又は全部の配置を、第６乃至第１０の実施形態のように配置した場合であっても、第４乃至第１０の実施形態の効果と同様の効果が奏される。
【００９０】
加えて、本実施形態では、検出電極１３ｂ，・・・，１３ｂ及び抑制電極１３ｄ，・・・，１３ｄは、上述の一次振動の振動軸に対して時計回り及び反時計回りに４５°傾いた二次振動の振動軸上に配置されているが、本発明はこれに限定されるもではない。例えば、上述の一次振動の振動軸に対して４５°傾いた、時計回り又は反時計回りのいずれか一方のみの二次振動の振動軸上に配置されていても、本実施形態の少なくとも一部の効果が奏される。但し、二次振動の検出感度（電気信号の強度）を高める観点から、本実施形態の方が、上述の一次振動の振動軸に対して４５°傾いた、時計回り又は反時計回りのいずれか一方のみの二次振動の振動軸上に配置されている場合よりも好ましい。
【００９１】
＜第１０の実施形態の変形例（１）＞
図１６は、本実施形態におけるもう１つのリング状振動ジャイロ８２０の中心的役割を果たす構造体の正面図である。本実施形態のリング状振動ジャイロ８２０は、一部の電極の配置及び機能、並びに幾つかの電極に接続する演算回路６３を備えている点を除き、第１０の実施形態のリング状振動ジャイロ８００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１６でも、図面を見易くするため、便宜的にフィードバック制御回路６１，６２が省略されている。
【００９２】
本実施形態のリング状振動ジャイロ８２０は、図１６に示すように、各々の駆動電極１３ａ，・・・，１３ａ（一部の交流電源１２は省略されている）、各々の第１検出電極１３ｂ，１３ｂが、リング状振動体１１の外周縁からその外周縁の近傍に至るまでの領域に配置されている。また、各々のモニター電極１３ｃ，１３ｃが、リング状振動体１１の外周縁からその外周縁の近傍に至るまでの領域に配置されている。また、各々の抑制電極１３ｄ，１３ｄが、リング状振動体１１の内周縁からその内周縁の近傍に至るまでの領域に配置されている。加えて、各々の第２検出電極１３ｅ，１３ｅが、リング状振動体１１の外周縁からその外周縁の近傍に至るまでの領域に配置されている。すなわち、第１０の実施形態との違いは、第１０の実施形態の第１検出電極のうちの２つが取り除かれた点、及び抑制電極１３ｄ，・・・，１３ｄの内の２つが、リング状振動ジャイロ８２０に角速度が与えられたときに発生する二次振動を検出する第２検出電極１３ｅ，１３ｅに置き換えられている点である。なお、本実施形態の第１検出電極１３ｂは、第１０の実施形態の検出電極１３ｂに相当する。
【００９３】
本実施形態では、駆動電極１３ａ，・・・，１３ａによる一次振動が励起された後、図１６に示すリング状振動ジャイロ８２０の配置された垂直軸（紙面に垂直な方向）の回りで角速度が加わると、ｃｏｓ２θの振動モードである本実施形態では、コリオリ力により一次振動の振動軸に対して両側に４５°傾いた新たな振動軸を有する二次振動が生じる。この二次振動が２つの第１検出電極１３ｂ,１３ｂと、２つの第２検出電極１３ｅ，１３ｅによって検出される。上述の各実施形態と同様、本実施形態も図示しないフィードバック制御回路を備えている。
【００９４】
また、本実施形態では、図１６に示すように、第１検出電極１３ｂ,１３ｂ及び第２検出電極１３ｅ，１３ｅは、それぞれ二次振動の振動軸に対応して配置されている。ここで、第１検出電極１３ｂ,１３ｂ及び第２検出電極１３ｅ，１３ｅは、リング状振動体１１の上面における中央線よりも外側に形成されている。ところで、図１７に示すように、例えば、リング状振動体１１が縦に楕円となる振動体１１ａの振動状態に変化した場合、中央線より外側に配置されている第１検出電極１３ｂの位置の圧電体膜４０は、Ａ１に示す矢印の方向に伸びる一方、中央線より外側に配置されている第２検出電極１３ｅの位置の圧電体膜４０は、Ａ２に示す矢印の方向に縮むため、それらの電気的信号は逆になる。同様に、リング状振動体１１が横に楕円となる振動体１１ｂの振動状態に変化した場合、第１検出電極１３ｂの位置の圧電体膜４０は、Ｂ１に示す矢印の方向に縮む一方、第２検出電極１３ｅの位置の圧電体膜４０は、Ｂ２に示す矢印の方向に伸びるため、この場合も、それらの電気的信号が逆になる。なお、図１７によって説明される前述の内容は、本実施形態以外のｃｏｓ２θの振動モードのリング状振動ジャイロにも当てはまる。
【００９５】
ここで、公知の差分回路である演算回路６３において、リング状振動体１１の上面における中央線よりも外側に形成されている第１検出電極１３ｂ,１３ｂと第２検出電極１３ｅ，１３ｅの電気信号の差が算出される。その結果、二次振動の検出信号は、第１検出電極１３ｂ,１３ｂのみの場合よりも高い検出能力を備えることになる。
【００９６】
具体的には、本実施形態では、レッグ部１５，・・・，１５上に、引き出し電極１４としての上層金属膜５０、圧電体膜４０、及び下層金属膜３０が形成されている。ここで、仮にリング状振動ジャイロ８２０に対して既に述べたバウンスモードを励起する振動を伴う外乱（衝撃）が発生した場合、レッグ部１５，・・・，１５がリング状振動ジャイロ８２０の垂直軸の一方向に動くため、レッグ部１５，・・・，１５上の圧電体膜４０の伸縮に伴う電気信号が発生する。しかしながら、この場合は、二次振動を検出するための全ての電極に連結するレッグ部の前述の電気信号の正負は一致しているため、演算回路６３においてそれらの差分を算出することにより、少なくともリング状振動体１１の上面における中央線よりも外側に形成されている第１検出電極１３ｂ,１３ｂと第２検出電極１３ｅ，１３ｅに連結する各レッグ部１５からの信号は実質的にキャンセルされることになる。
【００９７】
他方、ロッキングモードの振動を励起する外乱が発生した場合、例えば、図１６に示すとおり、リング状振動体１１の上面における中央線よりも外側に形成されている第１検出電極１３ｂ,１３ｂは、それぞれ円周方向に１８０°離れた場所に配置されているため、それらの第１検出電極１３ｂ,１３ｂに連結するレッグ部上の圧電体膜４０の伸縮は逆になる。その結果、それらの第１検出電極１３ｂの電気信号の正負が逆になるため、それらの電気信号は互いに相殺し合うことになる。上述の現象は、各第２検出電極１３ｄに連結するレッグ部の前述の電気信号にも当てはまる。このため、ロッキングモードの振動によるリング状振動ジャイロ８２０への実質的な影響はなくなる。
【００９８】
上述の通り、本実施形態のリング状振動ジャイロ８２０は、４つの第１検出電極１３ｂ,１３ｂ及び２つの第２検出電極１３ｅ，１３ｅを備えることにより、二次振動の検出能力が高められるとともに、バウンスモードやロッキングモードの振動を励起する外部衝撃に対する耐衝撃性も高められる。
【００９９】
ところで、本実施形態では、各々の駆動電極１３ａ，・・・，１３ａが４つ配置されていたが、本発明はこれに限定されるものではない。例えば、駆動電極１３ａが、リング状振動体１１の外周縁からその外周縁の近傍に至るまでの領域又はその内周縁からその内周縁の近傍に至るまでの領域のいずれか一方のみに配置されていても良い。但し、一次振動の駆動効率及び二次振動の検出能力の向上を図る観点から、本実施形態の方が好ましい。また、本実施形態では、各々の第１検出電極１３ｂ，１３ｂが２つ配置されていたが、本発明はこれに限定されない。例えば、図１８のように、各々の第１検出電極１３ｂ，・・・，１３ｂが４つ配置されていても良い。但し、この場合は、各々の第１検出電極１３ｂ，・・・，１３ｂの数と第２検出電極１３ｅ，１３ｅの数が一致しないため、特にバウンスモードを励起する振動を伴う外乱（衝撃）が発生した場合に、上述の差分回路による十分なキャンセル効果が生じないため、本実施形態のように、第１検出電極１３ｂの数と第２検出電極１３ｅの数が一致する実施形態の方が好ましい。
【０１００】
＜第１０の実施形態の変形例（２）＞
図１９は、本実施形態におけるもう一つのリング状振動ジャイロ８４０の中心的役割を果たす構造体の正面図である。本実施形態のリング状振動ジャイロ８４０は、一部の電極の配置及び機能を除き、第１０の実施形態のリング状振動ジャイロ８００と同一の構成を備える。また、その製造方法はフォトリソグラフィ技術により形成されたパターンを除いて第１の実施形態と同じである。さらに、本実施形態の振動モードは、第１の実施形態と同様、ｃｏｓ２θの振動モードである。従って、第１の実施形態と重複する説明は省略され得る。なお、図１９でも、図面を見易くするため、便宜的にフィードバック制御回路６１，６２が省略されている。
【０１０１】
本実施形態のリング状振動ジャイロ８４０は、図１９に示すように、各々の駆動電極１３ａ，・・・，１３ａ（一部の交流電源１２は省略されている）、各々の第１検出電極１３ｂ,１３ｂが、リング状振動体１１の外周縁からその外周縁の近傍に至るまでの領域及びその内周縁からその内周縁の近傍に至るまでの領域に配置されている。また、各々のモニター電極１３ｃ，１３ｃが、リング状振動体１１の外周縁からその外周縁の近傍に至るまでの領域に配置されている。また、各々の抑制電極１３ｄ，１３ｄが、リング状振動体１１の外周縁からその外周縁の近傍に至るまでの領域に配置されている。加えて、各々の第２検出電極１３ｅ，１３ｅが、リング状振動体１１の内周縁からその内周縁の近傍に至るまでの領域に配置されている。すなわち、第１０の実施形態の変形例（１）との違いは、第１０の実施形態の変形例（１）の第２検出電極１３ｅを、同実施形態の抑制電極１３ｄと置き換えた点である。なお、本実施形態の第１検出電極１３ｂは、第１０の実施形態の検出電極１３ｂに相当する。
【０１０２】
本実施形態でも、駆動電極１３ａ，・・・，１３ａによる一次振動が励起された後、図１９に示すリング状振動ジャイロ８４０の配置された垂直軸（紙面に垂直な方向）の回りで角速度が加わると、ｃｏｓ２θの振動モードである本実施形態では、コリオリ力により一次振動の振動軸に対して両側に４５°傾いた新たな振動軸を有する二次振動が生じる。
【０１０３】
この二次振動が２つの第１検出電極１３ｂ,１３ｂと、２つの第２検出電極１３ｅ，１３ｅによって検出される。上述の各実施形態と同様、本実施形態も図示しないフィードバック制御回路を備えており、フィードバック制御回路が第１および第２の検出電極１３ｂ,１３ｅから信号に応じて、二次振動を抑制するための信号を抑制電極１３ｄ，１３ｄに出力する。
【０１０４】
本実施形態では、図１９に示すように、第１検出電極１３ｂ,１３ｂ及び第２検出電極１３ｅ，１３ｅは、それぞれ二次振動の振動軸に対応して配置されている。ここで、第１検出電極１３ｂ,１３ｂは、リング状振動体１１の上面における中央線よりも外側に形成され、第２検出電極１３ｅ，１３ｅは、リング状振動体１１の上面における中央線よりも内側に形成されている。
【０１０５】
従って、公知の差分回路である演算回路６３において、リング状振動体１１の上面における中央線よりも外側に形成されている第１検出電極１３ｂ,１３ｂとその中央線よりも内側に形成されている第２検出電極１３ｅ，１３ｅの電気信号の差を算出することにより、二次振動の検出信号は、第１検出電極１３ｂ,１３ｂのみの場合よりも高い検出能力を備えることになる。
【０１０６】
加えて、第１０の実施形態の変形例（１）と同様に、本実施形態のリング状振動ジャイロ８４０は、二次振動の検出能力が高められるとともに、バウンスモードやロッキングモードの振動を励起する外部衝撃に対する耐衝撃性も高められる。
【０１０７】
さらに、本実施形態においても、第１０の実施形態の変形例（１）と同様に、各々の駆動電極１３ａ，・・・，１３ａが４つ配置されていたが、本発明はこれに限定されるものではない。また、本実施形態は、第１および第２の検出電極１３ｂ,１３ｅを用い、また、抑制電極１３ｄ，１３ｄを二つ用いるものであるが、第１の検出電極１３ｂまたは第２の検出電極１３ｅのうちのいずれか一つだけを用いるような構成や、抑制電極１３ｄをただひとつだけ用いるような構成も本発明の範囲に含まれる。
【０１０８】
＜第１１の実施形態＞
図２０Ａは、本実施形態におけるもう一つのリング状振動ジャイロ９００の中心的役割を果たす構造体の正面図である。また、図２０Ｂは、図２０ＡのＴ−Ｔ断面図である。本実施形態のリング状振動ジャイロ９００は、第１の実施形態における第１の領域の上層金属膜５０の配置及び電極パッド用固定端部１７，・・・，１７を除き、第１の実施形態のリング状振動ジャイロ１００と実質的に同一の構成を備える。また、その製造方法はフォトリソグラフィ技術により形成された各種パターンを除いて第１の実施形態と同じである。他方、本実施形態の振動モードは、第１の実施形態とは異なり、ｃｏｓ３θの振動モードである。従って、第１の実施形態と重複する説明は省略され得る。なお、図２０Ａでは、図面を見易くするため、便宜的にフィードバック制御回路６１，６２が省略されている。また、説明の便宜上、図２０Ａには、Ｘ軸及びＹ軸が表記されている。加えて、本実施形態では、他の実施形態の図面内に記載される斜線及びＶの文字が省略されている。
【０１０９】
図２０Ａに示すとおり、本実施形態のリング状振動ジャイロ９００の各上層金属膜５０は、中央線よりも外側に形成されている。
【０１１０】
ところで、本実施形態の一次振動の振動モードは、図２１Ａに示すイン・プレーンのｃｏｓ３θの振動モードである。また、本実施形態の二次振動の振動モードとは、図２１Ｂに示すｃｏｓ３θのイン・プレーンの振動モードである。従って、複数の電極１３ａ〜１３ｅの内訳は、以下の（ａ）乃至（ｄ）のとおりである。
（ａ）互いに円周方向に１２０°離れた角度に配置された３つの駆動電極１３ａ，１３ａ，１３ａ
（ｂ）前述の３つの駆動電極１３ａ，１３ａの内の１つの駆動電極１３ａ（例えば、図２１Ａにおいて時計の１２時方向の駆動電極１３ａ）を基準電極とした場合に、その基準電極から円周方向であって時計回りに６０°、１８０°、及び３００°離れた角度に配置されたモニター電極１３ｃ，１３ｃ，１３ｃ
（ｃ）リング状振動ジャイロ１００に角速度が与えられたときに発生する二次振動を検出する、その基準電極から円周方向であって時計回りに３０°、１５０°、及び２７０°離れた角度に配置された検出電極１３ｂ，１３ｂ，１３ｂ
（ｄ）前述の検出電極からの電圧信号に基づいて二次振動を抑制する、その基準電極から円周方向であって時計回りに９０°、２１０°、及び３３０°離れた角度に配置された抑制電極１３ｄ，１３ｄ，１３ｄ
【０１１１】
なお、本実施形態では、図２０Ａに示すように、各種の電極の１つについて、電気信号の偏りを解消するために、それぞれの両端部から引き出し電極１４，１４が形成されている。なお、各種の電極の片側のみから引き出し電極１４が形成されている場合であっても、振動ジャイロとしての機能を失うことはない。
【０１１２】
また、本実施形態の第３の領域に相当する領域は、上述のレッグ部１５，・・・，１５に連結しているシリコン基板１０から形成される支柱１９である。本実施形態では、この支柱１９が第１の実施形態における電極パッド用固定端部１７の機能を兼ねている。また、支柱１９の上面には、グラウンド電極である固定電位電極１６を除き、レッグ部１５，・・・，１５上のそれらと連続する上述のシリコン酸化膜２０、下層金属膜３０、及び圧電体膜４０が形成されている。ここで、シリコン酸化膜２０上に形成された下層金属膜３０は、固定電位電極１６と同電位となっている。また、支柱１９の上方に形成されている圧電体膜４０の上面には、レッグ部１５，・・・，１５上のそれと連続する前述の引き出し電極１４，・・・，１４及び電極パッド１８，・・・，１８が形成されている。
【０１１３】
次に、リング状振動ジャイロ９００が備える各電極の作用について説明する。上述の通り、本実施形態はイン・プレーンのｃｏｓ３θの振動モードの一次振動が励起される。なお、固定電位電極１６が接地されるため、固定電位電極１６と連続して形成されている下層電極膜３０は一律に０Ｖになっている。
【０１１４】
最初に、３つの駆動電極１３ａ，１３ａ，１３ａに１ＶＰ−０の交流電圧が印加される。その結果、圧電体膜４０が伸縮して一次振動が励起される。ここで、本実施形態では上層金属膜５０がリング状振動体１１の上面における中央線よりも外側に形成されているため、リング状振動体１１の側面に形成されることなく圧電体膜４０の伸縮運動をリング状振動体１１の一次振動に変換することが可能となる。なお、実際の交流電源１２は、導電性ワイヤに接続される電極パッド１８を介して駆動電極１３ａに印加するが、本実施形態及び他の実施形態では、説明の便宜上、省略され得る。
【０１１５】
次に、図２０Ａに示すモニター電極１３ｃ，１３ｃ，１３ｃが、上述の一次振動の振幅及び共振周波数を検出して、図示しない公知のフィードバック制御回路に信号を送信する。本実施形態のフィードバック制御回路は、駆動電極１３ａ，１３ａ，１３ａに印加される交流電圧の周波数とリング状振動体１１が持つ固有周波数が一致するように制御するとともに、リング状振動体１１の振幅がある一定の値となるようにモニター電極１３ｃ，１３ｃ，１３ｃの信号を用いて制御している。その結果、リング状振動体１１は、一定の振動が持続される。
【０１１６】
ここで、リング状振動ジャイロ９００に対し、リング状振動ジャイロ９００の垂直軸（紙面、すなわちＸ−Ｙ平面に垂直な方向）の回りで角速度が加わると、イン・プレーンのｃｏｓ３θの振動モードである本実施形態では、コリオリ力により、図２０Ａに示す一次振動の振動軸に対して両側に３０°傾いた新たな振動軸を有する図２０Ｂに示す二次振動が生じる。
【０１１７】
この二次振動が、３つの検出電極１３ｂ,１３ｂ,１３ｂによって検出される。ここで、本実施形態のリング状振動ジャイロ９００は、これらの検出電極１３ｂ，１３ｂ，１３ｂによって検出された二次振動に関する電圧信号を打ち消すために、換言すればそれらの電圧信号の値をゼロにするために、抑制電極１３ｄ，１３ｄ，１３ｄに対して特定の電圧を与えるように指示又は制御する図示しないフィードバック制御回路を備えている。なお、この特定の電圧が、振動ジャイロとしての結果出力として用いられる。
【０１１８】
前述のとおり、検出電極１３ｂ，１３ｂ，１３ｂからの電圧信号に基づいて二次振動を抑制する抑制電極１３ｄ，１３ｄ，１３ｄを備えることにより、リング状振動ジャイロ９００は、そのリング状振動体１１の二次振動を殆ど振動させることなく、振動ジャイロとしての性能を発揮することができる。なお、本実施形態のリング状振動ジャイロ９００は、抑制電極１３ｄ，１３ｄ，１３ｄ及びフィードバック制御回路が設けられていない振動ジャイロと比べて、非常にノイズ性能に優れている。具体的には、本実施形態のリング状振動ジャイロ９００は、本願出願人が以前に提案したＰＣＴ／ＪＰ２００８／０７１３７２に記載された振動ジャイロの一例（第１１の実施形態の振動ジャイロ）と比較して、特に、低周波領域のノイズの大きさが半分以下となる。従って、応答性を犠牲にすることなく、Ｓ／Ｎ比が飛躍的に高められる。
【０１１９】
上述の通り、本実施形態のリング状振動ジャイロ９００は、検出電極１３ｂ，１３ｂ，１３ｂ及び抑制電極１３ｄ，１３ｄ，１３ｄを備えることにより、ｃｏｓ３θの振動モードであっても、二次振動の検出能力が高められるとともに、ロッキングモードの振動を励起する外部衝撃に対する耐衝撃性も高められる。
【０１２０】
なお、本実施形態のリング状振動ジャイロ９００のモニター電極１３ｃ，１３ｃ，１３ｃの一部又は全部の配置を、第６乃至第１０の実施形態のように配置した場合であっても、第６乃至第１０の実施形態の効果と同様の効果が奏される。
【０１２１】
ところで、上述の第２の実施形態以外の実施形態では、圧電体膜４０はエッチングされずに、上層金属膜５０のパターニングによって各電極が形成されていたが、これに限定されない。上述の第２の実施形態以外の実施形態においても、第２の実施形態のように、実質的に上層金属膜５０が形成されている領域に合わせて圧電体膜４０がエッチングされることにより、圧電体膜４０の望ましくない伸縮や電気信号の発振が防がれる。
【０１２２】
また、上述の第１０の実施形態について、その変形例（１）及び変形例（２）を示したが、それらの変形例は第１０の実施形態に限定されない。第１検出電極１３ａ、第２検出電極１３ｅ、及び演算回路６３を備えることにより、第１０の実施形態以外の実施形態であっても、バウンスモードやロッキングモードの振動を励起する外部衝撃に対する耐衝撃性を高めたリング状振動ジャイロを得ることができる。
【０１２３】
また、上述の各実施形態では、シリコン基板上の絶縁膜としてシリコン酸化膜が採用されているが、本発明はこれに限定されるものではない。例えば、シリコン酸化膜の代わりに、シリコン窒化膜や、シリコン酸窒化膜が形成されていても、本発明の効果と実質的に同様の効果が奏される。
【０１２４】
また、上述の第１乃至第１０の実施形態及び第１０の実施形態の各変形例では、ｃｏｓ２θの振動モードが採用されているが、本発明はこれに限定されるものではない。Ｎを２以上の自然数とした場合に、ｃｏｓＮθの振動モードで前記リング状振動体の一次振動を励起する駆動電極を採用することにより、本発明の効果と実質的に同様の効果が奏される。例えば、ｃｏｓ３θの振動モードが採用される第１１の実施形態の各電極の配置は、当業者にとって、上述の第１乃至第１０の実施形態及び第１０の実施形態の各変形例に相当するｃｏｓ３θの振動モードの各電極の配置を十分に開示するものである。すなわち、Ｎを２以上の自然数とした場合のｃｏｓＮθの振動モードの各電極の配置は、上述の各実施形態の説明によって十分に開示されている。
【０１２５】
また、上述の各実施形態は、円環状の振動体を用いた振動ジャイロで説明されているが、円環状の代わりに、多角形状の振動体であってもよい。例えば、正六角形、正八角形、正十二角形、正二十角形等の正多角形状の振動体であっても、本発明の効果と実質的に同様の効果が奏される。また、図２２に示すリング状振動ジャイロ９５０の八角形状の振動体１１１のような振動体であってもよい。振動体の正面視において、例えば既述の基準点などの任意の点を対称の中心として点対称形状またはｎ回対称形状（ｎは任意の自然数）となる多角形を外周縁又は内周縁とするようなリング形状の振動体が採用されれば、振動体の振動時の安定性の観点で好ましい。なお、「円環状」には楕円形状が含まれる。
【０１２６】
さらに、上述の各実施形態では、シリコンを母材とするリング状振動ジャイロが採用されているが、これにも限定されない。例えば、振動ジャイロの母材がゲルマニウム又はシリコンゲルマニウムであってもよい。上述のうち、特に、シリコン又はシリコンゲルマニウムの採用は、公知の異方性ドライエッチング技術を適用することができるため、振動体を含めたジャイロ全体の加工精度の向上に大きく寄与する。
【０１２７】
また、上述の各実施形態では、上層金属膜をパターニングすることによって各電極が形成されていたが、本発明はこれに限定されるものではない。例えば、下層金属膜のみ、又は上層金属膜及び下層金属膜の両方がパターニングされることによって各電極が形成されても、本発明の効果と同等の効果が奏され得る。但し、製造の容易性を考慮すれば、上述の各実施形態のように上層金属膜のみがパターニングされることは好ましい一態様である。
【０１２８】
さらに、上述の各実施形態では、例えば、検出電極と抑制電極とをそれぞれ一つずつ用いる実施形態は記載していないが、このような構成も、本発明の実施態様に含まれる。すなわち、本発明の範囲内に存在する変形例もまた、特許請求の範囲に含まれるものである。
【産業上の利用可能性】
【０１２９】
本発明は、振動ジャイロとして、自動車、航空機、ロボット等、種々のデバイスの一部に適用され得る。
【符号の説明】
【０１３０】
１０                    シリコン基板
１１,１１ａ,１１ｂ      リング状振動体
１２                    交流電源
１３ａ                  駆動電極
１３ｂ                  検出電極又は第１検出電極
１３ｃ，４１３ｃ,５１３ｃ,６１３ｃ,７１３ｃ,７５３ｃ    モニタ電極
１３ｄ                  抑制電極
１３ｅ                  第２検出電極
１４                    引き出し電極
１５                    レッグ部
１６                    固定電位電極（グラウンド電極）
１７                    電極パッド用固定端部
１８                    電極パッド
１９                    支柱
２０                    シリコン酸化膜
３０                    下層金属膜
４０                    圧電体膜
５０                    上層金属膜
６１，６２              フィードバック制御回路
６３                    演算回路
１００，１１０，１２０，２００，３００，４００，５００，６００，７００，７５０,８００，８２０,８３０，８４０，９００，９５０    リング状振動ジャイロ
【図１】
2010210605.tif 000003
【図２Ａ】
2010210605.tif 000004
【図２Ｂ】
2010210605.tif 000005
【図３】
2010210605.tif 000006
【図４Ａ】
2010210605.tif 000007
【図４Ｂ】
2010210605.tif 000008
【図４Ｃ】
2010210605.tif 000009
【図４Ｄ】
2010210605.tif 000010
【図４Ｅ】
2010210605.tif 000011
【図４Ｆ】
2010210605.tif 000012
【図５】
2010210605.tif 000013
【図６】
2010210605.tif 000014
【図７】
2010210605.tif 000015
【図８】
2010210605.tif 000016
【図９】
2010210605.tif 000017
【図１０】
2010210605.tif 000018
【図１１】
2010210605.tif 000019
【図１２】
2010210605.tif 000020
【図１３】
2010210605.tif 000021
【図１４Ａ】
2010210605.tif 000022
【図１４Ｂ】
2010210605.tif 000023
【図１５】
2010210605.tif 000024
【図１６】
2010210605.tif 000025
【図１７】
2010210605.tif 000026
【図１８】
2010210605.tif 000027
【図１９】
2010210605.tif 000028
【図２０Ａ】
2010210605.tif 000029
【図２０Ｂ】
2010210605.tif 000030
【図２１Ａ】
2010210605.tif 000031
【図２１Ｂ】
2010210605.tif 000032
【図２２】
2010210605.tif 000033